(57)【要約】【課題】記録容量を効率的に使用し得、且つデータの転送に要する時間を短縮できるようにする。【解決手段】番組録画転送装置２は、チェックアウトした録画番組の番組ジャンル単位のチェックアウト履歴から、よくチェックアウトされる番組ジャンルとそうではない番組ジャンルとを判別し、よくチェックアウトされる番組ジャンルの番組を録画するときには、この番組の映像音声データをＭＰＥＧ２形式とＨ．２６４形式との２つのデータ形式で記録する一方、そうではない番組ジャンルの番組を録画するときには、この番組の映像音声データをＭＰＥＧ２形式のみで記録することで、将来チェックアウトされると予測される番組の映像音声データについてのみ、あらかじめＭＰＥＧ２形式とＨ．２６４形式との２つのデータ形式で記録しておくことができるので、映像音声データの転送を迅速に行うことができ、且つ転送されない番組の映像音声データに対しては無駄に２つのデータ形式で記録することを防止してその記録容量を効率的に使用することができる。【選択図】図５
2008271393.tif 000002
【特許請求の範囲】
【請求項１】
入力されるコンテンツデータを第１のデータ形式で記録部に記録する第１の記録処理部と、
入力される上記コンテンツデータを第２のデータ形式で上記記録部に記録する第２の記録処理部と、
上記記録部に記録された第２のデータ形式のコンテンツデータを外部に転送する転送部と、
コンテンツデータの利用履歴を記録する利用履歴記録部と、
上記利用履歴記録部に記録されている上記利用履歴に基づいて、入力される一の上記コンテンツデータを上記第１のデータ形式のみで、または上記第１のデータ形式と上記第２のデータ形式との２つのデータ形式で上記記録部に記録するように上記第１の記録処理部及び上記第２の記録処理部を制御し、さらに上記記録部から読み出した上記第２のデータ形式のコンテンツデータを外部に転送するように上記転送部を制御する制御部と
を具えることを特徴とするデータ記録転送装置。
【請求項２】
上記制御部は、
上記利用履歴記録部に記録されている上記利用履歴に基づき、入力される上記コンテンツデータが、転送される可能性が高いコンテンツデータであるかどうかを判断して、転送される可能性が高いと判断したコンテンツデータについては上記第１のデータ形式と上記第２のデータ形式との２つのデータ形式で記録し、転送される可能性が低いと判断したコンテンツデータについては上記第１のデータ形式のみで記録するように上記第１の記録処理部及び上記第２の記録処理部を制御する
ことを特徴とする請求項１に記載のデータ記録転送装置。
【請求項３】
上記利用履歴は、
コンテンツデータの属性単位で上記利用履歴記録部に記録され、
上記制御部は、
上記利用履歴と、入力される上記コンテンツデータの属性とに基づき、入力される上記コンテンツデータが、転送される可能性が高いコンテンツデータであるかどうかを判断する
ことを特徴とする請求項２に記載のデータ記録転送装置。
【請求項４】
上記利用履歴には、最近利用されたコンテンツデータほど値が高くなる利用ポイントが属性単位で記され、
上記制御部は、
上記利用ポイントが所定値以上の属性を有するコンテンツデータを、転送される可能性が高いコンテンツデータであると判断する
ことを特徴とする請求項３に記載のデータ記録転送装置。
【請求項５】
上記利用履歴は、
上記転送部が上記第２のデータ形式のコンテンツデータを外部に転送した履歴である
ことを特徴とする請求項１に記載のデータ記録転送装置。
【請求項６】
上記第１のデータ形式のコンテンツデータを再生する再生部を具え、
上記利用履歴は、
上記再生部が上記第１のデータ形式のコンテンツデータを再生した履歴である
ことを特徴とする請求項１に記載のデータ記録転送装置。
【請求項７】
上記利用履歴は、
上記第１の記録処理部が上記第１のデータ形式のコンテンツデータを上記記録部に記録した履歴である
ことを特徴とする請求項１に記載のデータ記録転送装置。
【請求項８】
他の装置と通信する通信部を具え、
上記利用履歴には、コンテンツデータを利用した装置の識別情報が上記属性単位で記され、
上記制御部は、
上記利用履歴と、入力される上記コンテンツデータの属性とに基づき、入力される上記コンテンツデータが、転送される可能性が高いコンテンツデータであるかどうかを判断して、転送される可能性が高いと判断したコンテンツデータについては上記第１のデータ形式と上記第２のデータ形式との２つのデータ形式で記録するように上記第１の記録処理部及び上記第２の記録処理部を制御し、さらに当該第２のデータ形式のコンテンツデータを、当該コンテンツデータと同じ属性を有するコンテンツデータを利用した装置が他の装置である場合に、当該装置に送信するように上記通信部を制御する
ことを特徴とする請求項３に記載のデータ記録転送装置。
【請求項９】
コンテンツデータの利用履歴に基づいて、入力される一のコンテンツデータを第１のデータ形式のみで、または上記第１のデータ形式と第２のデータ形式との２つのデータ形式で記録部に記録し、上記第２のデータ形式で記録したコンテンツデータを上記記録部から読み出して外部に転送する
ことを特徴とするデータ記録転送方法。
【請求項１０】
情報処理装置に対して
利用履歴記録部に記録されたコンテンツデータの利用履歴に基づいて、入力される一のコンテンツデータを第１のデータ形式のみで、または上記第１のデータ形式と第２のデータ形式との２つのデータ形式で記録部に記録するように、上記コンテンツデータを第１のデータ形式で上記記録部に記録する第１の記録処理部と上記コンテンツデータを第２のデータ形式で上記記録部に記録する第２の記録処理部とを制御し、さらに上記記録部から読み出した上記第２のデータ形式のコンテンツデータを外部に転送するように転送部を制御する処理を
実行させるためのデータ記録転送プログラム。
【発明の詳細な説明】
【技術分野】
【０００１】
本発明は、データ記録転送装置、データ記録転送方法及びデータ記録転送プログラムに関し、例えば、一のデータを複数のデータ形式で記録可能なデータ記録転送装置に適用して好適なものである。
【背景技術】
【０００２】
近年、ハードディスクドライブなどの大容量記録媒体にデータを記録するデータ記録装置の１つとして、番組をハードディスクドライブに録画する番組録画装置が広く普及している。この種の番組録画装置は、番組の映像音声を例えばＭＰＥＧ２（Moving Picture Experts Group phase 2）形式の映像音声データとしてハードディスクドライブに記録することで番組を録画するようになされ、またこのＭＰＥＧ２形式の映像音声データをハードディスクドライブから読み出して再生することにより番組の映像音声として外部（例えばテレビジョン受像機）に出力するようになされている。
【０００３】
また、この種の番組録画装置のなかには、外部装置（例えば映像音声データの再生機能を有する携帯端末）と接続して、この携帯端末にハードディスクドライブから読み出した番組の映像音声データを転送する機能を有するものもある。
【０００４】
ところで、映像音声データの転送先となる携帯端末が、必ずしも番組録画装置が記録している例えばＭＰＥＧ２形式の映像音声データを再生できるとは限らない。現に、携帯端末（例えば携帯型メディアプレイヤや携帯型ゲーム機など）には、携帯端末での再生に適した例えばＭＰＥＧ４（Moving Picture Experts Group phase 4）形式やＨ．２６４形式の映像音声データしか再生できないものも多く存在する。
【０００５】
このため、転送機能を有する番組録画装置では、転送時にハードディスクドライブから読み出した例えばＭＰＥＧ２形式の映像音声データを携帯端末で再生可能な例えばＭＰＥＧ４形式の映像音声データに変換するようになされていた。
【０００６】
ところが、ＭＰＥＧ２形式からＭＰＥＧ４形式へのようなデータ形式の変換処理は負荷が重く、場合によっては映像音声データの再生時間と同程度の処理時間を必要とする。このため、転送時に映像音声データのデータ形式を変換するようになされた番組録画装置では、結果として、映像音声データの転送が完了するまでに相当な時間を要することになり、例えば、外出前の短時間で映像音声データを携帯端末に転送するようなことはできなかった。
【０００７】
そこで従来、転送時に映像音声データのデータ形式を変換するのではなく、番組録画時にあらかじめＭＰＥＧ２形式と転送用のＭＰＥＧ４形式との２つのデータ形式で映像音声データを記録しておくことにより、転送に要する時間を短縮するようになされた番組録画装置が提案されている（例えば特許文献１参照）。
【特許文献１】特開２００３−２２４８２２公報
【発明の開示】
【発明が解決しようとする課題】
【０００８】
ところで、番組録画時にあらかじめＭＰＥＧ２形式とＭＰＥＧ４形式との２つのデータ形式で映像音声データを記録しておくようになされた番組録画装置の場合、転送時の処理を簡略化し得るので、転送に要する時間を短縮できる反面、転送するか否かに依らず必ず１番組につきＭＰＥＧ２形式とＭＰＥＧ４形式との２つのデータ形式で映像音声データをハードディスクドライブに記録しなければならないので、転送時に映像音声データのデータ形式を変換する番組録画装置のように１番組につき一のデータ形式（例えばＭＰＥＧ２形式）の映像音声データをハードディスクドライブに記録する場合と比べて、ハードディスクドライブに録画可能な時間（これを録画時間とも呼ぶ）が少なくなるという別の問題が生じる。
【０００９】
特に、ハードディスクドライブに記録したものの転送しなかったＭＰＥＧ４形式の映像音声データは、ハードディスクドライブの記録容量を無駄に消費することになる。
【００１０】
このように、従来の番組録画装置では、転送に要する時間を短縮しようとすれば、それにともない録画時間が少なくなり、録画時間を多くしようとすれば、それにともない転送に要する時間が長くなり、結果として、転送に要する時間と録画時間との両方の問題を同時に解決することはできなかった。
【００１１】
本発明は以上の点を考慮してなされたもので、記録容量を効率的に使用し得、且つデータの転送に要する時間を短縮し得るデータ記録転送装置、データ記録転送方法及びデータ記録転送プログラムを提案しようとするものである。
【課題を解決するための手段】
【００１２】
かかる課題を解決するため本発明においては、入力されるコンテンツデータを第１のデータ形式で記録媒体に記録する第１の記録処理部と、入力されるコンテンツデータを第２のデータ形式で記録媒体に記録する第２の記録処理部と、記録媒体に記録された第２のデータ形式のコンテンツデータを外部に転送する転送部と、コンテンツデータの利用履歴を記録する利用履歴記録部と、利用履歴記録部に記録されている利用履歴に基づいて、入力される一のコンテンツデータを第１のデータ形式のみで、または第１のデータ形式と第２のデータ形式との２つのデータ形式で記録媒体に記録するように第１の記録処理部及び第２の記録処理部を制御し、さらに記録媒体から読み出した第２のデータ形式のコンテンツデータを外部に転送するように転送部を制御する制御部とを設けるようにした。
【００１３】
このように、利用履歴記録部に記録されている利用履歴に基づいて、入力される一のコンテンツデータを第１のデータ形式のみで、または第１のデータ形式と転送用の第２のデータ形式との２つのデータ形式で記録媒体に記録するようにしたことにより、後に転送すると予測されるコンテンツデータについてのみ、あらかじめ第１のデータ形式にくわえて転送用の第２のデータ形式で記録媒体に記録しておくことができ、転送時には第２のデータ形式のコンテンツデータを記録媒体から読み出して直ちに転送することができる。
【発明の効果】
【００１４】
本発明によれば、利用履歴記録部に記録されている利用履歴に基づいて、入力される一のコンテンツデータを第１のデータ形式のみで、または第１のデータ形式と転送用の第２のデータ形式との２つのデータ形式で記録媒体に記録するようにしたことにより、後に転送すると予測されるコンテンツデータについてのみ、あらかじめ第１のデータ形式にくわえて転送用の第２のデータ形式で記録媒体に記録しておくことができ、転送時には第２のデータ形式のコンテンツデータを記録媒体から読み出して直ちに転送することができ、かくして、記録容量を効率的に使用し得、且つ転送に要する時間を短縮することができるデータ記録転送装置、データ記録転送方法及びデータ記録転送プログラムを実現できる。
【発明を実施するための最良の形態】
【００１５】
以下、図面について、本発明の一実施の形態を詳述する。
【００１６】
（１）第１の実施の形態
（１−１）番組録画転送システムの構成
図１において１は、番組録画転送システムを示す。この番組録画転送システム１は、アナログ放送番組及びデジタル放送番組の録画及び再生機能と、録画した番組の映像音声データを外部に転送する転送機能とを有する番組録画転送装置２と、番組録画転送装置２から出力される映像信号に基づく映像及び音声信号に基づく音声を出力するテレビモニタ３と、番組録画転送装置２から転送される映像音声データの記録及び再生機能を有する携帯端末４とで構成される。
【００１７】
番組録画転送装置２は、例えばユーザによりリモートコントローラ（これをリモコンとも呼ぶ）ＲＭを介して番組を録画するよう指示されると、アナログ放送アンテナ５より入力されるアナログ放送信号に対して所定の録画処理を施すことにより、アナログ放送番組の映像音声データを得、これを内蔵のハードディスクドライブ（図示せず）に記録することによりアナログ放送番組を録画するようになされ、またデジタル放送アンテナ６より入力されるデジタル放送信号に対して所定の録画処理を施すことにより、デジタル放送番組の映像音声データを得、これを内蔵のハードディスクドライブに記録することによりデジタル放送番組を録画するようになされている。
【００１８】
さらに番組録画転送装置２は、例えばユーザによりリモコンＲＭを介して録画した番組（これを録画番組とも呼ぶ）を再生するよう指示されると、録画番組の映像音声データをハードディスクドライブから読み出して所定の再生処理を施すことにより映像信号及び音声信号を得、これらをテレビモニタ３に出力する。この結果、テレビモニタ３のディスプレイ３Ａに録画番組の映像が表示されると共に、スピーカ３Ｂから録画番組の音声が出力される。
【００１９】
さらに番組録画転送装置２は、例えばユーザによりリモコンＲＭを介して録画番組の映像音声データを転送（これをチェックアウトとも呼ぶ）するよう指示されると、ハードディスクドライブから読み出した録画番組の映像音声データを、ＵＳＢケーブル７を介して接続された携帯端末４に転送する。この結果、携帯端末４のフラッシュメモリに録画番組の映像音声データが記録される。携帯端末４は、ＵＳＢケーブル７が外された後、例えばユーザ操作により録画番組を再生するよう指示されると、録画番組の映像音声データをフラッシュメモリから読み出して所定の再生処理を施すことにより映像信号及び音声信号を得、映像信号に基づく映像（つまり録画番組の映像）を携帯端末４のディスプレイに表示すると共に、音声信号に基づく音声（つまり録画番組の音声）を携帯端末４のスピーカから出力する。
【００２０】
さらに番組録画転送装置２は、ネットワークＮＴ上の機器にアクセスして、この機器との間で、各種データをやり取りするようにもなされている。
【００２１】
このように、この番組録画転送システム１では、番組録画転送装置２で録画した番組を、テレビモニタ３を介してユーザに視聴させることができ、さらに番組録画転送装置２で録画した番組を携帯端末４にチェックアウトすることにより、この携帯端末４を介して、外出先でも録画番組をユーザに視聴させることができるようになされている。
【００２２】
（１−２）番組録画転送装置のハードウェア構成
つづけて、番組録画転送装置２のハードウェア構成について詳しく説明する。番組録画転送装置２は、ＣＰＵ（Central Processing Unit）１０が、ＣＰＵバス１１を介して接続されたフラッシュＲＯＭ（Read Only Memory）１２に記録されているプログラムにしたがって各種処理を実行すると共に、リモコンＲＭより発せられた赤外線信号の受光結果として受光部１３から送られてくるリモコンコードをＣＰＵバス１１経由で受け取り、このリモコンコードに応じて各部の動作を制御するようになされている。またＣＰＵ１０は、ＣＰＵバス１１を介して接続されたＲＡＭ（Random Access Memory）１４を、各種処理を実行するときのワークメモリとして使用するようになされている。
【００２３】
具体的に言うと、この番組録画転送装置２は、ＣＰＵ１０の制御に基づき、アナログ放送アンテナ５を介して受信したアナログ放送信号をアナログチューナ１５に入力する。アナログチューナ１５は、アナログ放送信号から任意のチャンネル（例えばリモコンＲＭを介して指定されたチャンネル）の放送信号を抽出して、この抽出した放送信号に対して所定の復調処理を施すことにより映像信号と音声信号を得、映像信号をビデオデコーダ１６に送出する一方で、音声信号を音声Ａ／Ｄ（アナログデジタル変換器）１７に送出する。
【００２４】
ビデオデコーダ１６に入力された映像信号と音声Ａ／Ｄ１７に入力された音声信号は、それぞれビデオデコーダ１６と音声Ａ／Ｄ１７によりデジタル化された後、ＭＰＥＧエンコーダ１８に入力される。ＭＰＥＧエンコーダ１８は、ＣＰＵ１０の制御に基づき、入力された映像信号と音声信号をＭＰＥＧ２エンコードすることによりＭＰＥＧ２形式の映像音声データを生成して、これを出力する。ＣＰＵ１０は、ＭＰＥＧエンコーダ１８より出力されるＭＰＥＧ２形式の映像音声データを、内部バス１９及びドライブインタフェース２０を順次介して、番組（アナログ放送番組）単位の映像音声データとしてハードディスクドライブ２１に記録する。
【００２５】
このようにして番組録画転送装置２は、任意のアナログ放送番組を録画するようになされている。
【００２６】
また番組録画転送装置２は、ＣＰＵ１０の制御に基づき、デジタル放送アンテナ６を介して受信したデジタル放送信号をデジタルチューナ２２に入力する。デジタルチューナ２２は、デジタル放送信号から任意のチャンネル（例えばリモコンＲＭを介して指定されたチャンネル）の放送信号を抽出し、この抽出した放送信号をＭＰＥＧ２形式の映像音声データに変換して出力する。ＣＰＵ１０は、デジタルチューナ２２より出力されるＭＰＥＧ２形式の映像音声データを、内部バス１９及びドライブインタフェース２０を順次介して、番組（デジタル放送番組）単位の映像音声データとしてハードディスクドライブ２１に記録する。
【００２７】
このようにして番組録画転送装置２は、任意のデジタル放送番組を録画するようになされている。
【００２８】
さらに番組録画転送装置２は、ＣＰＵ１０の制御に基づき、ハードディスクドライブ２１に記録した録画番組の映像音声データを、ＤＶＤ（Digital Versatile Disc）ドライブ２３に挿入された図示しないＤＶＤへコピー、もしくはムーブすることができるようにもなされている。
【００２９】
さらに番組録画転送装置２は、ＣＰＵ１０の制御に基づき、ハードディスクドライブ２１から、もしくはＤＶＤドライブ２３に挿入されたＤＶＤから任意のＭＰＥＧ２形式の映像音声データ（例えばリモコンＲＭを介して指定された録画番組の映像音声データ）を読み出して、これをドライブインタフェース２０及び内部バス１９を順次介してＭＰＥＧデコーダ２４に入力する。ＭＰＥＧデコーダ２４は、ＭＰＥＧ２形式の映像音声データをデコードすることにより映像信号と音声信号に変換して出力する。
【００３０】
ＭＰＥＧデコーダ２４から出力された映像信号には、必要に応じてＯＳＤ（On Screen Display）回路２５により生成されたＧＵＩ（Graphical User Interface）画面信号が重畳され、この映像信号及び音声信号がＡＶケーブルなどにより外部接続されたテレビモニタ３に出力される。この結果、テレビモニタ３のディスプレイ３Ａには録画番組の映像が表示され、スピーカ３Ｂからは録画番組の音声が出力される。
【００３１】
このようにして番組録画転送装置２は、任意の録画番組を再生するようになされている。
【００３２】
さらに番組録画転送装置２は、ＣＰＵ１０の制御に基づき、ＭＰＥＧデコーダ２４から出力される映像信号及び音声信号を、ＨＤＭＩ（High Definition Multimedia Interface）送信回路２６及びＨＤＭＩ端子２７を順次介して、ＨＤＭＩケーブル（図示せず）により外部接続されたＨＤＭＩ対応機器（図示せず）に伝送することができるようにもなされている。
【００３３】
さらに番組録画転送装置２は、ＣＰＵ１０の制御に基づき、アナログチューナ１５によりアナログ放送信号から所定のチャンネルの放送信号を抽出して、この抽出した放送信号に対して所定の復調処理を施すことによりＥＰＧ信号を得、これをＥＰＧデコーダ２８に送出する。ＥＰＧデコーダ２８は、ＥＰＧ信号をデコードすることによりＥＰＧデータを得てこれを出力する。ＣＰＵ１０は、ＥＰＧデコーダ２８より出力されるＥＰＧデータを、内部バス１９及びドライブインタフェース２０を順次介して、アナログ放送番組のＥＰＧデータとしてハードディスクドライブ２１に記録する。
【００３４】
さらに番組録画転送装置２は、ＣＰＵ１０の制御に基づき、デジタルチューナ２２によりデジタル放送信号からＥＰＧデータを抽出してこれを出力する。ＣＰＵ１０は、デジタルチューナ２２より出力されるＥＰＧデータを、内部バス１９及びドライブインタフェース２０を順次介して、デジタル放送番組のＥＰＧデータとしてハードディスクドライブ２１に記録する。
【００３５】
このようにして番組録画転送装置２は、ＥＰＧデータを取得するようになされている。このＥＰＧデータには、放送予定番組の番組情報（番組タイトル、番組ジャンル、放送日時、放送チャンネル、出演者、番組概要など）が記され、番組録画転送装置２のＣＰＵ１０は、このＥＰＧデータを利用して番組を予約録画するようにもなされている。またＣＰＵ１０は、ハードディスクドライブ２１に記録する映像音声データに対して、対応する番組の番組情報をＥＰＧデータより取得して付与することで、映像音声データから対応する番組の番組情報を参照することができるようにもなされている。
【００３６】
さらに番組録画転送装置２は、ネットワークインタフェース２９及びネットワーク端子３０を順次介してネットワークＮＴ上の機器とネットワーク接続するようになされ、この機器との間で各種データ（例えばＥＰＧデータや映像音声データ）を送受信する。すなわち番組録画転送装置２のＣＰＵ１０は、ネットワークＮＴ上の機器から送信されてくる各種データを、ネットワーク端子３０及びネットワークインタフェース２９を順次介して取得する一方で、ネットワークインタフェース２９及びネットワーク端子３０を順次介して各種データをネットワークＮＴ上の機器に送信する。
【００３７】
このようにして番組録画転送装置２は、ネットワーク接続された機器との間で各種データをやり取りするようになされている。
【００３８】
ここまで説明した基本的な機能にくわえて、この番組録画転送装置２は、アナログ放送番組及びデジタル放送番組を録画するとき、後述する各種記録モードに応じて、ＭＰＥＧ２形式の映像音声データだけでなく、携帯端末４で再生可能なＨ．２６４形式の映像音声データを記録するようにもなされている。ちなみに、この場合のＭＰＥＧ２形式とは、ＭＰＥＧ２フォーマットで且つ番組録画転送装置２が対応している所定ビットレート（例えば８Ｍｂｐｓ）でなるデータ形式を指し、Ｈ．２６４形式とは、Ｈ．２６４フォーマットで且つ携帯端末４が対応しているビットレート（例えば７６８ｋｂｐｓ）でなるデータ形式を指す。
【００３９】
実際上、番組録画転送装置２のＭＰＥＧエンコーダ１８は、ＭＰＥＧ２コーデック機能にくわえてＨ．２６４コーデック機能を有しており、アナログ放送番組の映像信号と音声信号が入力されると、ＣＰＵ１０の制御に基づき、これらをＭＰＥＧ２コーデックでエンコードすることによりＭＰＥＧ２形式の映像音声データを生成してこれを出力すると共に、これらをＨ．２６４コーデックでエンコードすることによりＨ．２６４形式の映像音声データを生成してこれを出力する。
【００４０】
ＣＰＵ１０は、ＭＰＥＧエンコーダ１８から出力されるＭＰＥＧ２形式の映像音声データとＨ．２６４形式の映像音声データとを、内部バス１９及びドライブインタフェース２０を順次介して、番組単位の映像音声データとしてハードディスクドライブ２１に記録する。
【００４１】
この結果、一のアナログ放送番組が、ＭＰＥＧ２形式の映像音声データとＨ．２６４形式の映像音声データとの２つの映像音声データとして録画される。
【００４２】
またＣＰＵ１０は、デジタル放送番組の録画時、デジタルチューナ２２より出力されるＭＰＥＧ２形式の映像音声データを、内部バス１９及びドライブインタフェース２０を順次介して、番組単位の映像音声データとしてハードディスクドライブ２１に記録すると共に、ＭＰＥＧエンコーダ１８に入力する。ＭＰＥＧエンコーダ１８は、ＣＰＵ１０の制御に基づき、ＭＰＥＧ２形式の映像音声データを、Ｈ．２６４形式の映像音声データに変換してこれを出力する。
【００４３】
ＣＰＵ１０は、ＭＰＥＧエンコーダ１８から出力されるＨ．２６４形式の映像音声データを、内部バス１９及びドライブインタフェース２０を順次介して、番組単位の映像音声データとしてハードディスクドライブ２１に記録する。
【００４４】
この結果、一のデジタル放送番組が、ＭＰＥＧ２形式の映像音声データとＨ．２６４形式の映像音声データとの２つの映像音声データとして録画される。
【００４５】
このように番組録画転送装置２は、各番組の映像音声データを、ＭＰＥＧ２形式と携帯端末４で再生可能なＨ．２６４形式との２つのデータ形式で録画し得るようにもなされている。
【００４６】
そして番組録画転送装置２は、ＣＰＵ１０の制御に基づき、ハードディスクドライブ２１から任意のＨ．２６４形式の映像音声データ（例えばリモコンＲＭを介して指定された録画番組の映像音声データ）を読み出して、これをドライブインタフェース２０、内部バス１９、ＵＳＢコントローラ３０及びＵＳＢ端子３１を順次介して、ＵＳＢケーブル７により外部接続された携帯端末４に転送する。ちなみに、このときＣＰＵ１０は、例えば、コピーが許可されている映像音声データであればコピー、ムーブしか許可されていない映像音声データであればムーブすることで、映像音声データを転送するようになされている。
【００４７】
このようにして番組録画転送装置２は、録画番組を携帯端末４にチェックアウトするようになされている。
【００４８】
ここで、Ｈ．２６４形式の映像音声データの記録に関する各種記録モードについて説明する。番組録画転送装置２は、Ｈ．２６４形式の映像音声データを全く記録しない（つまりＭＰＥＧ２形式の映像音声データしか記録しない）第１の記録モード（これを通常記録モードとも呼ぶ）と、アナログ放送番組についてのみＭＰＥＧ２形式の映像音声データにくわえてＨ．２６４形式の映像音声データを記録する第２の記録モード（これをアナログ放送指定記録モードとも呼ぶ）と、デジタル放送番組についてのみＭＰＥＧ２形式の映像音声データにくわえてＨ．２６４形式の映像音声データを記録する第３の記録モード（これをデジタル放送指定記録モードとも呼ぶ）と、アナログ放送番組及びデジタル放送番組に依らず、録画番組のチェックアウト履歴に基づき、録画する番組ごとに、Ｈ．２６４形式の映像音声データを記録するかどうか判断する第４の記録モード（履歴学習最適化モードとも呼ぶ）とを有しており、これら４つの記録モードのなかから所望の記録モードを後述する設定メニュー画面を介してユーザに選択させるようになされている。
【００４９】
実際上、番組録画転送装置２のＣＰＵ１０は、例えばユーザによりリモコンＲＭを介して設定メニュー画面を表示するよう指示されると、ＯＳＤ回路２５により設定メニュー画面に基づくＧＵＩ画面信号を生成して、これをテレビモニタ３に出力する。
【００５０】
この結果、テレビモニタ３のディスプレイ３Ａには図３に示すような設定メニュー画面４０が表示される。この設定メニュー画面４０は、各種設定項目（例えば『ＨＤＤ二重音声記録』、『ＤＶＤ二重音声記録』など）を縦方向に並べて表示する設定項目表示領域４１と、設定項目表示領域４１に表示された各種設定項目のうちの選択された設定項目の設定内容を表示する設定内容表示領域４２とで構成される。
【００５１】
この設定項目表示領域４１では、中央に位置する設定項目が選択される設定項目であり、例えばリモコンＲＭの上下キーの操作に応じて、所望の設定項目が中央に位置するよう各設定項目を上下方向にスライドさせることができ、リモコンＲＭの決定キーの押下に応じて、中央に位置する所望の設定項目を選択できるようになされている。
【００５２】
ここで、番組録画転送装置２の記録モードの設定は、設定項目表示領域４１に表示される設定項目『おでかけ転送  高速転送録画』を選択することにより行う。すなわち、この設定項目『おでかけ転送  高速転送録画』が選択されると、設定内容表示領域４２には、設定項目『おでかけ転送  高速転送録画』の設定内容として、番組録画転送装置２が有する通常記録モードに対応するワード『切』と、アナログ放送指定記録モードに対応するワード『アナログ放送』と、デジタル放送指定記録モードに対応するワード『デジタル放送』と、履歴学習最適化モードに対応するワード『履歴学習最適化モード』とが縦方向に並べて表示されると共に、これら４つのワードのうちの現在選択されている記録モードに対応するワードに重ねてカーソルＣｕが表示される。
【００５３】
そしてこの設定内容表示領域４１では、例えばリモコンＲＭの上下キーの操作に応じて、カーソルＣｕを所望の記録モードに対応するワードに移動させることができ、リモコンＲＭの決定キーの押下に応じて、カーソルＣｕが重ねられているワードに対応する記録モードを選択できるようになされている。
【００５４】
このようにして番組録画転送装置２は、所望の記録モードをユーザに選択させ得るようになされている。
【００５５】
そして番組録画転送装置２のＣＰＵ１０は、通常記録モードが選択された場合、アナログ放送番組及びデジタル放送番組のどちらを録画する場合も、ＭＰＥＧ２形式の映像音声データのみを録画番組の映像音声データとしてハードディスクドライブ２１に記録する。
【００５６】
また番組録画転送装置２のＣＰＵ１０は、アナログ放送指定記録モードが選択された場合、デジタル放送番組を録画するときには、ＭＰＥＧ２形式の映像音声データのみを録画番組の映像音声データとしてハードディスクドライブ２１に記録する一方で、アナログ放送番組を録画するときには、ＭＰＥＧ２形式の映像音声データにくわえてＨ．２６４形式の映像音声データを録画番組の映像音声データとしてハードディスクドライブ２１に記録する。
【００５７】
さらに番組録画転送装置２のＣＰＵ１０は、デジタル放送指定記録モードが選択された場合、アナログ放送番組を録画するときには、ＭＰＥＧ２形式の映像音声データのみを録画番組の映像音声データとしてハードディスクドライブ２１に記録する一方で、デジタル放送番組を録画するときには、ＭＰＥＧ２形式の映像音声データにくわえてＨ．２６４形式の映像音声データを録画番組の映像音声データとしてハードディスクドライブ２１に記録する。
【００５８】
さらに番組録画転送装置２のＣＰＵ１０は、履歴学習最適化モードが選択された場合、録画番組のチェックアウト履歴をハードディスクドライブ２１に記録して、このチェックアウト履歴に基づき、アナログ放送番組またはデジタル放送番組のどちらであるかに関係なく、録画する番組ごとに、Ｈ．２６４形式の映像音声データを記録するかどうか判断して、Ｈ．２６４形式の映像音声データを記録しないと判断した場合には、ＭＰＥＧ２形式の映像音声データのみを録画番組の映像音声データとしてハードディスクドライブ２１に記録する一方で、記録すると判断した場合には、ＭＰＥＧ２形式の映像音声データにくわえてＨ．２６４形式の映像音声データを録画番組の映像音声データとしてハードディスクドライブ２１に記録する。以下、この履歴学習最適化モードについて、より詳しく説明する。
【００５９】
（１−３）履歴学習最適化モード
履歴学習最適化モードでの番組録画転送装置２は、録画番組のチェックアウト履歴を、チェックアウトした録画番組の番組ジャンル単位でハードディスクドライブ２１に記録するようになされ、このチェックアウト履歴から、よくチェックアウトされる番組ジャンルと、ほとんどチェックアウトされない番組ジャンルとを判別し、よくチェックアウトされると判別した番組ジャンルの番組を録画するときには、この番組の映像音声データが将来転送される可能性が高いと判断して、この番組の映像音声データをＭＰＥＧ２形式とＨ．２６４形式との２つのデータ形式でハードディスクドライブ２１に記録する一方、ほとんどチェックアウトされないと判別した番組ジャンルの番組を録画するときには、この番組の映像音声データが将来転送される可能性が低いと判断して、この番組の映像音声データをＭＰＥＧ２形式のみでハードディスクドライブ２１に記録するようになされている。
【００６０】
こうすることで、番組録画転送装置２は、将来転送されると予測される番組の映像音声データについてのみ、あらかじめＭＰＥＧ２形式とチェックアウト先（つまり転送先）の携帯端末４で再生可能なＨ．２６４形式との２つのデータ形式でハードディスクドライブ２１に記録しておくことができるので、映像音声データの転送を迅速に行うことができ、且つ転送されない番組の映像音声データに対しては無駄に２つのデータ形式でハードディスクドライブ２１に記録することを防止してその記録容量を効率的に使用することができる。
【００６１】
具体的に言うと、この番組録画転送装置２のハードディスクドライブ２１には、図４（Ａ）に示すようなチェックアウト履歴テーブルＴｂ１が記録され、このチェックアウト履歴テーブルＴｂ１により番組録画転送装置２のＣＰＵ１０が録画番組のチェックアウト履歴を記録管理するようになされている。
【００６２】
このチェックアウト履歴テーブルＴｂ１には、あらかじめ複数の番組ジャンル（例えば、『ニュース』、『映画』、『ドラマ』、『スポーツ』、『音楽』、『料理』、『アニメ』、『バラエティ』、『クイズ』、『ワイドショー』、『ドキュメンタリ』、『旅行・食べ歩き』、…など）が登録されており、さらに複数の番組ジャンルのそれぞれに対して、チェックアウト時に（具体的には１回のチェックアウト処理が実行されるごとに）、その番組ジャンルの録画番組がチェックアウトされれば増加、されなければ減少するチェックアウトポイントが記録されている。
【００６３】
このチェックアウトポイントは、初期値及び最大値が「５」、最小値が「０」と設定されている。したがって、まだ１度も録画番組がチェックアウトされていない場合、図４（Ａ）に示すように、チェックアウト履歴テーブルＴｂ１に記録されている全ての番組ジャンルのチェックポイントは「５」となる。
【００６４】
番組録画装置２のＣＰＵ１０は、このチェックアウト履歴テーブルＴｂ１のチェックアウトポイントを参照して、その値が「１」以上である番組ジャンルを、よくチェックアウトされる番組ジャンルと判別する一方で、その値が「０」である番組ジャンルを、ほとんどチェックアウトされない番組ジャンルと判別するようになされている。
【００６５】
したがって、全ての番組ジャンルのチェックアウトポイントが初期値の「５」である場合、ＣＰＵ１０は、全ての番組ジャンルが、よくチェックアウトされる番組ジャンルであると判別して、番組録画時に、録画する番組がどの番組ジャンルであろうと、その番組の映像音声データが将来転送される可能性が高いと判断して、その番組をＭＰＥＧ２形式の映像音声データとＨ．２６４形式の映像音声データとの２つのデータ形式でハードディスクドライブ２１に記録する。
【００６６】
換言すると、まだ１度も録画番組がチェックアウトされていない場合、どの番組ジャンルがよくチェックアウトされる番組ジャンルであるか判別することが困難であるので、ＣＰＵ１０は、チェックアウトを迅速に行うことを最優先にして、録画する番組がどの番組ジャンルであろうと、その番組をＭＰＥＧ２形式の映像音声データとＨ．２６４形式の映像音声データとの２つのデータ形式でハードディスクドライブ２１に記録するようになされている。
【００６７】
その後、例えば、１回のチェックアウト処理で、番組ジャンルが「ニュース」である録画番組と番組ジャンルが「スポーツ」である録画番組とを携帯端末４にチェックアウトすると、ＣＰＵ１０は、図４（Ｂ）に示すように、チェックアウト履歴テーブルＴｂ１の番組ジャンル「ニュース」のチェックアウトポイントと番組ジャンル「スポーツ」のチェックアウトポイントを共に最大値の「５」に更新する（実際は「５」のまま）と共に、それ以外の番組ジャンルのチェックアウトポイントを−１する（この場合「４」に更新する）。
【００６８】
この状態でも、全ての番組ジャンルのチェックアウトポイントが「１」以上であるので、ＣＰＵ１０は、番組録画時に、録画する番組がどの番組ジャンルであろうと、その番組の映像音声データが将来チェックアウトされる可能性が高いと判断して、その番組をＭＰＥＧ２形式の映像音声データとＨ．２６４形式の映像音声データとの２つのデータ形式でハードディスクドライブ２１に記録する。
【００６９】
さらに、その後、例えば、番組ジャンルが「音楽」である録画番組を携帯端末４にチェックアウトすると、ＣＰＵ１０は、図４（Ｃ）に示すように、チェックアウト履歴テーブルＴｂ１の番組ジャンル「音楽」のチェックアウトポイントを最大値の「５」に更新すると共に、それ以外の番組ジャンルのチェックアウトポイントを−１する。
【００７０】
つまりＣＰＵ１０は、チェックアウト処理を実行する度に、チェックアウトした録画番組の番組ジャンルのチェックアウトポイントを以前の値に関係なく最大値の「５」に更新し、それ以外の番組ジャンルのチェックアウトポイントを以前の値から−１した値（ただし「０」以上）に更新するようになされている。
【００７１】
さらに、その後、チェックアウトが繰り返された結果、例えば、図４（ｄ）に示すように、番組ジャンル「映画」のチェックアウトポイントと、番組ジャンル「ドラマ」のチェックアウトポイントが「０」になったとする。
【００７２】
このときＣＰＵ１０は、番組ジャンル「映画」と番組ジャンル「ドラマ」が、ほとんどチェックアウトされない番組ジャンルであると判別して、以降、これらのチェックアウトポイントが「１」以上にならない限り、番組録画時に、録画する番組の番組ジャンルが「映画」または「ドラマ」であれば、その番組の映像音声データが将来チェックアウトされる可能性が低いと判断して、その番組をＭＰＥＧ２形式の映像音声データのみでハードディスクドライブ２１に記録する。
【００７３】
このようにして番組録画転送装置２は、番組ジャンル単位のチェックアウト履歴に基づき、よくチェックアウトされる番組ジャンルと、ほとんどチェックアウトされない番組ジャンルとを判別して、よくチェックアウトされると判別した番組ジャンルの番組を録画するときには、その番組をＭＰＥＧ２形式の映像音声データとＨ．２６４形式の映像音声データの２つのデータ形式でハードディスクドライブ２１に記録する一方、ほとんどチェックアウトされないと判別した番組ジャンルの番組を録画するときには、その番組をＭＰＥＧ２形式の映像音声データのみでハードディスクドライブ２１に記録するようになされている。
【００７４】
（１−４）履歴学習最適化モードでの番組録画処理手順及びチェックアウト処理手順
ここで、上述した履歴学習最適化モードでの番組を録画する処理手順（これを番組録画処理手順とも呼ぶ）と、録画番組を携帯端末４にチェックアウトする処理手順（これをチェックアウト処理手順とも呼ぶ）とについて詳しく説明する。
【００７５】
まず、番組録画処理手順について、図５に示すフローチャートを用いて詳しく説明する。ちなみに、この番組録画処理手順は、番組録画転送装置２のＣＰＵ１０が、フラッシュＲＯＭ１２に記録されているプログラムにしたがって実行する処理である。
【００７６】
番組録画転送装置２のＣＰＵ１０は、例えばユーザによりリモコンＲＭを介して所望の番組を録画するよう指示されると、番組録画処理手順ＲＴ１を開始して、ステップＳＰ１に移る。ステップＳＰ１においてＣＰＵ１０は、録画する番組の番組ジャンルをＥＰＧデータより取得し、この番組ジャンルのチェックアウトポイントをチェックアウト履歴テーブルＴｂ１から参照して、次のステップＳＰ２に移る。
【００７７】
ステップＳＰ２においてＣＰＵ１０は、録画する番組の番組ジャンルのチェックアウトポイントが「１」以上であるかどうかを判定する。このステップＳＰ２で肯定結果を得ると、このことは、録画する番組の番組ジャンルのチェックアウトポイントが「１」以上であること、つまりこの番組の映像音声データが将来転送される可能性が高いことを意味し、このときＣＰＵ１０は、ステップＳＰ３に移る。
【００７８】
ステップＳＰ３においてＣＰＵ１０は、番組の映像音声データを番組録画転送装置２用のＭＰＥＧ２形式と、チェックアウト用（転送用）のＨ．２６４形式との２つのデータ形式でハードディスクドライブ２１に記録して、この番組録画処理手順ＲＴ１を終了する。
【００７９】
これに対して、上述のステップＳＰ２で否定結果を得ると、このことは、録画する番組の番組ジャンルのチェックアウトポイントが「０」であること、つまりこの番組の映像音声データが将来チェックアウトされる可能性が低いことを意味し、このときＣＰＵ１０は、ステップＳＰ４に移る。
【００８０】
ステップＳＰ４においてＣＰＵ１０は、番組の映像音声データを番組録画転送装置２用のＭＰＥＧ２形式のみでハードディスクドライブ２１に記録して、この番組録画処理手順ＲＴ１を終了する。
【００８１】
このような番組録画処理手順ＲＴ１にしたがって、番組録画転送装置２のＣＰＵ１０は、番組を録画するようになされている。
【００８２】
つづけて、チェックアウト処理手順について、図６に示すフローチャートを用いて詳しく説明する。ちなみに、このチェックアウト処理手順も、番組録画転送装置２のＣＰＵ１０が、フラッシュＲＯＭ１２に記録されているプログラムにしたがって実行する処理である。また、ここでは、チェックアウトする録画番組の映像音声データとして、チェックアウト用（転送用）のＨ．２６４形式の映像音声データが既にハードディスクドライブ２１に記録されている場合を例に説明する。
【００８３】
番組録画転送装置２のＣＰＵ１０は、例えばユーザによりリモコンＲＭを介して所望の録画番組をチェックアウトするよう指示されると、チェックアウト処理手順ＲＴ２を開始して、ステップＳＰ１０に移る。ステップＳＰ１０においてＣＰＵ１０は、チェックアウトする録画番組の映像音声データに付与された番組情報から、この番組の番組ジャンルを取得し、チェックアウト履歴テーブルＴｂ１に記録されているこの番組ジャンルのチェックアウトポイントを最大値の「５」に設定して、次のステップＳＰ１１に移る。
【００８４】
ステップＳＰ１１においてＣＰＵ１０は、ステップＳＰ１０でチェックアウトポイントを最大値の「５」に設定した番組ジャンル以外の番組ジャンルのチェックアウトポイントを−１して、次のステップＳＰ１２に移る。
【００８５】
ステップＳＰ１２においてＣＰＵ１０は、チェックアウトする録画番組の映像音声データとして、チェックアウト用（転送用）のＨ．２６４形式で記録された映像音声データをハードディスクドライブ２１から読み出し、この映像音声データを携帯端末４に転送して（つまり録画番組をチェックアウトして）、このチェックアウト処理手順ＲＴ２を終了する。
【００８６】
このようなチェックアウト処理手順ＲＴ２にしたがって、番組録画転送装置２のＣＰＵ１０は、録画番組をチェックアウトするようになされている。
【００８７】
（１−５）番組録画転送装置の機能構成
ここで、上述した履歴学習最適化モードでの番組録画及びチェックアウトに主眼を置いた番組録画転送装置２の機能構成について説明する。図７に示すように、番組録画転送装置２は、入力されるコンテンツデータ（この実施例では映像音声データ）を第１のデータ形式（この実施例ではＭＰＥＧ２形式）で記録部５０に記録する第１の記録処理部５１と、入力されるコンテンツデータを第２のデータ形式（この実施例ではＨ．２６４形式）で記録部５０に記録する第２の記録処理部５２と、記録部５０に記録された第２のデータ形式のコンテンツデータを外部に転送する転送部５３と、コンテンツデータの利用履歴（この実施例ではチェックアウト履歴）を記録する利用履歴記録部５４と、利用履歴記録部５４に記録されている利用履歴に基づいて、入力される一のコンテンツデータを第１のデータ形式のみで、または第１のデータ形式と第２のデータ形式との２つのデータ形式で記録部５０に記録するように第１の記録処理部５１及び第２の記録処理部５２を制御し、さらに記録部５０から読み出した第２のデータ形式のコンテンツデータを外部に転送するように転送部５３を制御する制御部５５とで構成される。
【００８８】
このような機能構成により、番組録画転送装置２は、上述した履歴学習最適化モードでの番組録画及びチェックアウトを機能的に実現し得るようになされている。ここで、記録部５０及び利用履歴記録部５４は、例えば、番組録画転送装置２のハードウェア構成であるハードディスクドライブ２１に相当する機能部であり、第１の記録処理部５１及び第２の記録処理部５２は、番組録画転送装置２のハードウェア構成であるＭＰＥＧエンコーダ１８及びＣＰＵ１０に相当する機能部であり、転送部５３は、番組録画転送装置２のハードウェア構成であるＵＳＢコントローラ３１及びＵＳＢ端子３２に相当する機能部であり、制御部５５は、番組録画転送装置２のハードウェア構成であるＣＰＵ１０に相当する機能部である。
【００８９】
（１−６）第１の実施の形態による動作及び効果
以上の構成において番組録画転送装置２は、履歴学習最適化モードに移行すると、録画番組のチェックアウト履歴を、チェックアウトした録画番組の番組ジャンル単位でハードディスクドライブ２１に記録する。
【００９０】
そして番組録画転送装置２は、番組録画時、番組ジャンル単位のチェックアウト履歴に基づいて、録画する番組がよくチェックアウトされる番組ジャンルの番組であるかどうかを判別し、よくチェックアウトされる番組ジャンルの番組であると判別した番組については、その映像音声データが将来転送される可能性が高いと判断して、この番組の映像音声データをＭＰＥＧ２形式と転送用のＨ．２６４形式との２つのデータ形式でハードディスクドライブ２１に記録する一方、ほとんどチェックアウトされない番組ジャンルの番組であると判別した番組については、その映像音声データが将来転送される可能性が低いと判断して、この番組の映像音声データをＭＰＥＧ２形式のみでハードディスクドライブ２１に記録する。
【００９１】
こうすることで、番組録画転送装置２は、将来転送されると予測される番組の映像音声データについてのみ、あらかじめＭＰＥＧ２形式と転送用のＨ．２６４形式との２つのデータ形式でハードディスクドライブ２１に記録しておくことができるので、映像音声データの転送を迅速に行うことができ、且つ転送されない番組の映像音声データに対しては無駄に２つのデータ形式でハードディスクドライブ２１に記録することを防止してその記録容量を効率的に使用することができる。
【００９２】
また番組録画転送装置２は、番組ジャンル単位のチェックアウト履歴として、チェックアウト時に、その番組ジャンルの番組の映像音声データがチェックアウトされれば最大値の「５」になり、されなければ−１されるチェックアウトポイントを記録する。
【００９３】
そして、番組録画転送装置２は、このチェックアウトポイントが「０」になった番組ジャンル、つまり少なくとも最近５回以上連続してチェックアウト時にチェックアウトされなかった番組ジャンルを、ほとんどチェックアウトされない番組ジャンルとして判別する。
【００９４】
すなわち、番組録画転送装置２は、例えば１回チェックアウトされただけの番組ジャンルであっても、そのチェックアウトが前回のチェックアウト時であるならば、これ以降も、この番組ジャンルがチェックアウトされる可能性が高いと判断して、この番組ジャンルをよくチェックアウトされる番組ジャンルとして判別する。
【００９５】
このように、番組録画転送装置２は、単にチェックアウトされた回数を、チェックアウト履歴として記録するのではなく、最近チェックアウトされた番組ジャンルほど値が高くなるチェックアウトポイントを記録して、このチェックアウトポイントが「１」以上の番組ジャンルを、よくチェックアウトされる番組ジャンルと判別する一方、このチェックアウトポイントが「０」の番組ジャンルを、ほとんどチェックアウトされない番組ジャンルと判別することにより、より的確に最近チェックアウトされた番組ジャンルを判別することができる。
【００９６】
また、このようにしてチェックアウト時に更新されるチェックアウトポイントに基づいて、よくチェックアウトされる番組ジャンルを判別するようにしたことにより、チェックアウトを繰り返すほど、ユーザがどの番組ジャンルの番組を携帯端末４へチェックアウトさせているのかを学習して、より的確によくチェックアウトされる番組ジャンルを判別することができる。
【００９７】
以上の構成によれば、番組録画転送装置２は、番組ジャンル単位のチェックアウト履歴に基づいて、録画する番組がよくチェックアウトされる番組ジャンルの番組であるかどうかを判別し、よくチェックアウトされる番組ジャンルの番組であると判別した場合には、この番組の映像音声データをＭＰＥＧ２形式と転送用のＨ．２６４形式との２つのデータ形式でハードディスクドライブ２１に記録する一方、ほとんどチェックアウトされない番組ジャンルの番組であると判別した場合には、この番組の映像音声データをＭＰＥＧ２形式のみでハードディスクドライブ２１に記録することにより、将来転送されると予測される番組の映像音声データについてのみ、あらかじめＭＰＥＧ２形式と転送用のＨ．２６４形式との２つのデータ形式でハードディスクドライブ２１に記録しておくことができるので、映像音声データの転送を迅速に行うことができ、且つ転送されない番組の映像音声データに対しては無駄に２つのデータ形式でハードディスクドライブ２１に記録することを防止してその記録容量を効率的に使用することができる。
【００９８】
（２）第２の実施の形態
次に、第２の実施の形態について説明する。この第２の実施の形態は、番組録画転送装置２が、第１の実施の形態とは異なる履歴学習最適化モードを有する実施例である。したがって、ここでは、履歴学習最適化モードを中心に説明する。ちなみに、システム構成、番組録画転送装置２のハードウェア構及び機能構成、履歴学習最適化モード以外の記録モードについては、第１の実施の形態と同様であるので、第１の実施の形態を参照とする。
【００９９】
（２−１）履歴学習最適化モード
この第２の実施の形態による履歴学習最適化モードでの番組録画転送装置２は、録画番組のチェックアウト履歴を、チェックアウトした録画番組の番組ジャンル単位にくわえて放送時間帯単位でハードディスクドライブ２１に記録するようになされ、このチェックアウト履歴から、よくチェックアウトされる番組ジャンルと放送時間帯との組み合わせと、ほとんどチェックアウトされない番組ジャンルと放送時間帯との組み合わせとを判別して、よくチェックアウトされると判別した番組ジャンルと放送時間帯との組み合わせに該当する番組（例えば朝のニュース番組）を録画するときには、この番組の映像音声データが将来転送される可能性が高いと判断して、この番組の映像音声データをＭＰＥＧ２形式とＨ．２６４形式との２つのデータ形式でハードディスクドライブ２１に記録する一方、ほとんどチェックアウトされないと判別した番組ジャンルと放送時間帯との組み合わせに該当する番組（例えば昼のドラマ番組）を録画するときには、この番組の映像音声データが将来転送される可能性が低いと判断して、この番組の映像音声データをＭＰＥＧ２形式のみでハードディスクドライブ２１に記録するようになされている。
【０１００】
こうすることで、番組録画転送装置２は、より的確に将来転送されると予測される番組の映像音声データについてのみ、あらかじめＭＰＥＧ２形式と転送先の携帯端末４で再生可能なＨ．２６４形式との２つのデータ形式でハードディスクドライブ２１に記録しておくことができるので、映像音声データの転送を迅速に行うことができ、且つ転送されない番組の映像音声データに対しては無駄に２つのデータ形式でハードディスクドライブ２１に記録することを防止してその記録容量を効率的に使用することができる。
【０１０１】
具体的に言うと、この番組録画転送装置２のハードディスクドライブ２１には、図８（Ａ）に示すように、第１の実施の形態と同様の番組ジャンル単位のチェックアウト履歴テーブルＴｂ１にくわえて、放送時間帯単位のチェックアウト履歴テーブルＴｂ２が記録され、このチェックアウト履歴テーブルＴｂ１及びＴｂ２により番組録画転送装置２のＣＰＵ１０が録画番組のチェックアウト履歴を記録管理するようになされている。
【０１０２】
このチェックアウト履歴テーブルＴｂ２には、あらかじめ複数の放送時間帯（例えば、「５：００〜８：００」、「８：００〜１７：００」、「１７：００〜１９：００」、「１９：００〜２１：００」、「２１：００〜２４：００」、「２４：００〜５：００」）が登録されており、さらに複数の放送時間帯のそれぞれに対して、チェックアウト時に（具体的には１回のチェックアウト処理が実行されるごとに）、その放送時間帯の録画番組がチェックアウトされれば増加、されなければ減少するチェックアウトポイントが記録されている。
【０１０３】
このチェックアウトポイントも、初期値及び最大値が「５」、最小値が「０」と設定されている。したがって、まだ１度も録画番組がチェックアウトされていない場合、チェックアウト履歴テーブルＴｂ２に記録されている全ての放送時間帯のチェックポイントは「５」となる。
【０１０４】
番組録画装置２のＣＰＵ１０は、チェックアウト履歴テーブルＴｂ１に記録されている番組ジャンルごとのチェックアウトポイントと、チェックアウト履歴テーブルＴｂ２に記録されている放送時間帯ごとのチェックポイントとを参照して、これらを乗算した値が「１０」より大きくなる番組ジャンルと放送時間帯との組み合わせを、よくチェックアウトされる番組ジャンルと放送時間帯との組み合わせと判別する一方で、その値が「１０」以下となる番組ジャンルと放送時間帯との組み合わせを、ほとんどチェックアウトされない番組ジャンルと放送時間帯との組み合わせと判別するようになされている。
【０１０５】
したがって、全ての番組ジャンル及び放送時間帯のチェックポイントが初期値の「５」である場合、ＣＰＵ１０は、番組ジャンルと放送時間帯との組み合わせの全てでチェックアウトポイントの乗算値が「１０」より大きくなる（この場合５×５で２５になる）ことから、録画する番組がどの番組ジャンルのどの放送時間帯であろうと、その番組の映像音声データが将来転送される可能性が高いと判断して、この番組の映像音声データをＭＰＥＧ２形式とＨ．２６４形式との２つのデータ形式でハードディスクドライブ２１に記録する。
【０１０６】
その後、ＣＰＵ１０は、チェックアウト処理を実行する度に、チェックアウトした録画番組の番組ジャンル及び放送時間帯のチェックアウトポイントを以前の値に関係なく最大値の「５」に更新するようになされ、それ以外の番組ジャンル及び放送時間帯のチェックアウトポイントを以前の値から−１した値（ただし「０」以上）に更新するようになされている。
【０１０７】
このようにしてチェックアウトが繰り返された結果、例えば、図８（ｂ）に示すように、放送時間帯「８：００〜１７：００」のチェックアウトポイントと全番組ジャンルのそれぞれのチェックアウトポイントとを乗算した値と、放送時間帯「１７：００〜１９：００」のチェックアウトポイントと全番組ジャンルのそれぞれのチェックアウトポイントとを乗算した値と、放送時間帯「２４：００〜５：００」のチェックアウトポイントと番組ジャンル「ドラマ」のチェックアウトポイントとを乗算した値とが「１０」以下になったとする。
【０１０８】
このときＣＰＵ１０は、放送時間帯「８：００〜１７：００」の全番組ジャンルと、放送時間帯「１７：００〜１９：００」の全番組ジャンルと、放送時間帯「２４：００〜５：００」の番組ジャンル「映画」とが、ほとんどチェックアウトされない番組ジャンルと放送時間帯との組み合わせであると判別して、これらに該当する番組を録画するときには、その番組の映像音声データが将来転送される可能性が低いと判断して、この番組の映像音声データをＭＰＥＧ２形式の映像音声データのみでハードディスクドライブ２１に記録する。
【０１０９】
このようにして番組録画転送装置２は、チェックアウト履歴に基づき、よくチェックアウトされる番組ジャンルと放送時間帯との組み合わせと、ほとんどチェックアウトされない番組ジャンルと放送時間帯との組み合わせとを判別して、よくチェックアウトされる番組ジャンルと放送時間帯との組み合わせに該当する番組を録画するときには、その番組の映像音声データをＭＰＥＧ２形式とＨ．２６４形式との２つのデータ形式でハードディスクドライブ２１に記録する一方、ほとんどチェックアウトされない番組ジャンルと放送時間帯との組み合わせに該当する番組を録画するときには、その番組の映像音声データをＭＰＥＧ２形式のみでハードディスクドライブ２１に記録するようになされている。
【０１１０】
（２−２）第２の実施の形態による履歴学習最適化モードでの番組録画処理手順及びチェックアウト処理手順
ここで、この第２の実施の形態による履歴学習最適化モードでの番組録画処理手順と、チェックアウト処理手順とについて詳しく説明する。
【０１１１】
まず、番組録画処理手順について、図９に示すフローチャートを用いて詳しく説明する。ちなみに、この番組録画処理手順も、番組録画転送装置２のＣＰＵ１０が、フラッシュＲＯＭ１２に記録されているプログラムにしたがって実行する処理である。
【０１１２】
番組録画転送装置２のＣＰＵ１０は、例えばユーザによりリモコンＲＭを介して所望の番組を録画するよう指示されると、番組録画処理手順ＲＴ１０を開始して、ステップＳＰ２０に移る。ステップＳＰ２０においてＣＰＵ１０は、録画する番組の番組ジャンルと放送時間帯とをＥＰＧデータより取得し、この番組ジャンルのチェックアウトポイントと放送時間帯のチェックアウトポイントとをチェックアウト履歴テーブルＴｂ１及びＴｂ２から参照して、次のステップＳＰ２１に移る。
【０１１３】
ステップＳＰ２１においてＣＰＵ１０は、録画する番組の番組ジャンルのチェックアウトポイントと放送時間帯のチェックアウトポイントとの乗算値が「１０」より大きいかどうかを判定する。このステップＳＰ２１で肯定結果を得ると、このことは、録画する番組の番組ジャンルのチェックアウトポイントと放送時間帯のチェックアウトポイントとの乗算値が「１０」より大きいこと、つまりこの番組の映像音声データが将来転送される可能性が高いことを意味し、このときＣＰＵ１０は、ステップＳＰ２２に移る。
【０１１４】
ステップＳＰ２２においてＣＰＵ１０は、番組の映像音声データを番組録画転送装置２用のＭＰＥＧ２形式と、チェックアウト用（転送用）のＨ．２６４形式との２つのデータ形式でハードディスクドライブ２１に記録して、この番組録画処理手順ＲＴ１０を終了する。
【０１１５】
これに対して、上述のステップＳＰ２１で否定結果を得ると、このことは、録画する番組の放送時間帯のチェックアウトポイントと番組ジャンルのチェックアウトポイントとの乗算値が「１０」以下であること、つまりこの番組の映像音声データが将来転送される可能性が低いことを意味し、このときＣＰＵ１０は、ステップＳＰ２３に移る。
【０１１６】
ステップＳＰ２３においてＣＰＵ１０は、番組の映像音声データを番組録画転送装置２用のＭＰＥＧ２形式でのみハードディスクドライブ２１に記録して、この番組録画処理手順ＲＴ１０を終了する。
【０１１７】
このような番組録画処理手順ＲＴ１０にしたがって、番組録画転送装置２のＣＰＵ１０は、番組を録画するようになされている。
【０１１８】
つづけて、チェックアウト処理手順について、図１０に示すフローチャートを用いて詳しく説明する。ちなみに、このチェックアウト処理手順も、番組録画転送装置２のＣＰＵ１０が、ハードディスクドライブ２１に記録されているプログラムにしたがって実行する処理である。また、ここでは、チェックアウトする録画番組の映像音声データとして、チェックアウト用（転送用）のＨ．２６４形式の映像音声データが既にハードディスクドライブ２１に記録されている場合を例に説明する。
【０１１９】
番組録画転送装置２のＣＰＵ１０は、例えばユーザによりリモコンＲＭを介して所望の録画番組をチェックアウトするよう指示されると、チェックアウト処理手順ＲＴ１１を開始して、ステップＳＰ３０に移る。ステップＳＰ３０においてＣＰＵ１０は、チェックアウトする録画番組の映像音声データに付与された番組情報から、この録画番組の番組ジャンルと放送時間帯とを取得し、チェックアウト履歴テーブルＴｂ１に記録されているこの番組ジャンルのチェックアウトポイントを「５」に設定すると共に、チェックアウト履歴テーブルＴｂ２に記録されているこの放送時間帯のチェックアウトポイントを「５」に設定して、次のステップＳＰ３１に移る。
【０１２０】
ステップＳＰ３１においてＣＰＵ１０は、ステップＳＰ３０でチェックアウトポイントを「５」に設定した番組ジャンル以外の番組ジャンルのチェックアウトポイントを−１すると共に、ステップＳＰ３０でチェックアウトポイントを「５」に設定した放送時間帯以外の放送時間帯のチェックアウトポイントを−１して、次のステップＳＰ３２に移る。
【０１２１】
ステップＳＰ３２においてＣＰＵ１０は、チェックアウトする録画番組の映像音声データとして、チェックアウト用（転送用）のＨ．２６４形式で記録された映像音声データをハードディスクドライブ２１から読み出し、この映像音声データを携帯端末４に転送して（つまり録画番組をチェックアウトして）、このチェックアウト処理手順ＲＴ１１を終了する。
【０１２２】
このようなチェックアウト処理手順ＲＴ１１にしたがって、番組録画転送装置２のＣＰＵ１０は、録画番組をチェックアウトするようになされている。
【０１２３】
（２−３）第２の実施の形態による動作及び効果
ここまで説明したように、この第２の実施の形態の番組録画転送装置２は、履歴学習最適化モードに移行すると、録画番組のチェックアウト履歴を、チェックアウトした録画番組の番組ジャンル単位及び放送時間帯単位でハードディスクドライブ２１に記録する。
【０１２４】
そして番組録画転送装置２は、番組録画時、番組ジャンル単位及び放送時間帯単位のチェックアウト履歴に基づいて、よくチェックアウトされる番組ジャンルと放送時間帯との組み合わせと、ほとんどチェックアウトされない番組ジャンルと放送時間帯との組み合わせとを判別し、よくチェックアウトされる番組ジャンルと放送時間帯との組み合わせに該当する番組を録画するときには、この番組の映像音声データをＭＰＥＧ２形式とチェックアウト用のＨ．２６４形式との２つのデータ形式でハードディスクドライブ２１に記録する一方、ほとんどチェックアウトされない番組ジャンルと放送時間帯との組み合わせに該当する番組を録画するときには、この番組の映像音声データをＭＰＥＧ２形式のみでハードディスクドライブ２１に記録する。
【０１２５】
このようにこの第２の実施の形態の番組録画転送装置２は、録画番組のチェックアウト履歴として、番組ジャンル単位のチェックアウト履歴にくわえて放送時間帯単位のチェックアウト履歴を用いるようにしたことにより、番組ジャンル単位のチェックアウト履歴のみから録画する番組の映像音声データが将来転送されるかどうかを予測する場合と比して、放送時間帯単位のチェックアウト履歴を用いている分、より詳細に録画する番組の映像音声データが将来転送されるかどうかを予測することができる。
【０１２６】
かくしてこの第２の実施の形態の番組録画転送装置２は、より的確に、将来転送されると予測される番組の映像音声データについてのみ、あらかじめＭＰＥＧ２形式と転送先の携帯端末４で再生可能なＨ．２６４形式との２つのデータ形式でハードディスクドライブ２１に記録しておくことができ、且つ、より的確に、転送されない番組の映像音声データを無駄に２つのデータ形式でハードディスクドライブ２１に記録することを防止してその記録容量を効率的に使用することができる。
【０１２７】
（３）第３の実施の形態
次に、第３の実施の形態について説明する。この第３の実施の形態では、複数の番組録画転送装置２がネットワーク接続され、録画番組を携帯端末４にチェックアウトした番組録画転送装置２に対して、他の番組録画転送装置２が番組録画時に生成したチェックアウト用（転送用）の映像音声データを送信するようになされている点が、第１の実施の形態と異なる点である。
【０１２８】
（３−１）第３の実施の形態による番組録画転送システムの構成
まず、この第３の実施の形態の番組録画転送システム１００の構成について図１１を用いて説明する。この番組録画転送システム１００は、第１の実施の形態の番組録画転送システム１に、番組録画転送装置２と同機能の番組録画転送装置２ｘを追加した構成でなり、この追加した番組録画転送装置２ｘと番組録画転送装置２とがネットワークＮＴを介して通信するようになされている。ちなみに、図示していないが、番組録画転送装置２ｘにも、テレビモニタ、アナログ放送アンテナ及びデジタル放送アンテナが接続されているとする。
【０１２９】
すなわち、この番組録画転送装置２ｘは、番組録画転送装置２と同様、例えばユーザによるリモコンＲＭの操作に応じて、アナログ放送番組の録画、デジタル放送番組の録画、録画番組の再生、録画番組のチェックアウトを行うようになされている。
【０１３０】
さらに、この番組録画転送システム１００の番組録画転送装置２と番組録画転送装置２ｘは、それぞれのハードディスクドライブに記録している録画番組の映像音声データを、ネットワークＮＴを介して互いに送受信して共有するようになされている。
【０１３１】
実際上、例えば、番組録画転送装置２は、番組録画転送装置２ｘのハードディスクドライブに録画された録画番組のリストを番組録画転送装置２ｘからネットワークＮＴを介して取得する。そして番組録画転送装置２は、自身のハードディスクドライブに録画した録画番組のリストと、番組録画転送装置２ｘから取得したリストとを１つのリストに統合して、これをテレビモニタ３に出力する。
【０１３２】
この結果、テレビモニタ３のディスプレイ３Ａには、番組録画転送装置２に録画された録画番組のリストと番組録画転送装置２ｘに録画された録画番組のリストとを統合したリスト（これを統合リストとも呼ぶ）が表示される。
【０１３３】
そして番組録画転送装置２は、例えばユーザによりリモコンＲＭを介して、統合リストのなかから、再生する録画番組が指定されると、指定された録画番組の映像音声データ（ＭＰＥＧ２形式の映像音声データ）が自身のハードディスクドライブに記録されているものであれば、この映像音声データを自身のハードディスクから読み出して所定の再生処理を施すことにより映像信号及び音声信号を得、これらをテレビモニタ３に出力する一方、指定された録画番組の映像音声データが番組録画転送装置２ｘに記録されているものであれば、この映像音声データをネットワークＮＴを介して番組録画転送装置２ｘから受信して所定の再生処理を施すことにより映像信号及び音声信号を得、これらをテレビモニタ３に出力する。この結果、テレビモニタ３のディスプレイ３Ａに録画番組の映像が表示されると共に、スピーカ３Ｂから録画番組の音声が出力される。
【０１３４】
また番組録画転送装置２は、例えばユーザによりリモコンＲＭを介して、統合リストのなかから、携帯端末４へチェックアウトする録画番組が指定されると、指定された録画番組の映像音声データ（Ｈ．２６４形式の映像音声データ）が自身のハードディスクドライブに記録されているものであれば、この映像音声データを自身のハードディスクから読み出して携帯端末４に転送する一方、指定された録画番組の映像音声データが番組録画転送装置２ｘに記録されているものであれば、この映像音声データをネットワークＮＴを介して番組録画転送装置２ｘから受信して携帯端末４に転送する。
【０１３５】
このようにして録画番組の映像音声データを番組録画転送装置２と番組録画転送装置２ｘとで共有するようにしたことにより、この番組録画転送システム１００では、録画番組の映像音声データを、番組録画転送装置２と番組録画転送装置２ｘのどちらに記録されているかに依らず番組録画転送装置２と番組録画転送装置２ｘのどちらからでも利用できるようになされている。
【０１３６】
ここで、番組録画転送装置２及び２ｘのハードウェア構成及び機能構成、履歴学習最適化モード以外の記録モードについては、録画番組の映像音声データを共有する点を除き、第１の実施の形態と同様であるので、第１の実施の形態を参照とする。ゆえに、ここでは、録画番組の映像音声データを番組録画転送装置２及び２ｘが共有する環境での履歴学習最適化モードについて説明する。
【０１３７】
（３−２）第３の実施の形態による履歴学習最適化モード
この第３の実施の形態による履歴学習最適化モードでの番組録画転送装置２及び２ｘは、録画番組のチェックアウト履歴を、チェックアウトした録画番組の番組ジャンル単位で管理するだけでなく、番組ジャンルごとにどの装置（番組録画転送装置２または２ｘ）からチェックアウトされたのか（つまりチェックアウト元がどこなのか）まで管理するようになされている。
【０１３８】
そして番組録画転送装置２及び２ｘは、このチェックアウト履歴から、よくチェックアウトされる番組ジャンルとほとんどチェックアウトされない番組ジャンルとを判別すると共に、よくチェックアウトされる番組ジャンルのチェックアウト元がどこなのかを判別して、よくチェックアウトされる番組ジャンルの番組を録画するときには、この番組の映像音声データをＭＰＥＧ２形式の映像音声データと転送用のＨ．２６４形式の映像音声データの２つのデータ形式で自身のハードディスクドライブ２１に記録したうえで、この番組ジャンルのチェックアウト元が自分以外の装置であれば、転送用のＨ．２６４形式の映像音声データを、その装置に対して送信する一方、ほとんどチェックアウトされない番組ジャンルの番組を録画するときには、この番組をＭＰＥＧ２形式の映像音声データのみで自身のハードディスクドライブ２１に記録する。
【０１３９】
こうすることで、番組録画転送装置２及び２ｘは、将来転送されると予測される番組の映像音声データについてのみ、あらかじめＭＰＥＧ２形式と転送用のＨ．２６４形式との２つのデータ形式でハードディスクドライブ２１に記録して、さらに転送用のＨ．２６４形式の映像音声データについては、チェックアウト元になる装置にあらかじめ送信しておくことができるので、映像音声データの転送を迅速に行うことができ、且つ転送されない番組の映像音声データに対しては無駄に２つのデータ形式でハードディスクドライブ２１に記録することを防止してその記録容量を効率的に使用することができる。
【０１４０】
具体的に言うと、例えば、番組録画転送装置２のハードディスクドライブ２１には、図１２（Ａ）に示すように、番組ジャンル単位のチェックアウト履歴テーブルＴｂ１００が記録され、このチェックアウト履歴テーブルＴｂ１００により番組録画転送装置２のＣＰＵ１０が録画番組のチェックアウト履歴を管理するようになされている。
【０１４１】
このチェックアウト履歴テーブルＴｂ１００には、あらかじめ複数の番組ジャンル（例えば、『ニュース』、『映画』、『ドラマ』、『スポーツ』、『音楽』、『料理』、『アニメ』、『バラエティ』、『クイズ』、『ワイドショー』、『ドキュメンタリ』、『旅行・食べ歩き』、…など）が登録されており、さらに複数の番組ジャンルのそれぞれに対して、チェックアウト元と、チェックアウト時に、対応する番組ジャンルの録画番組がチェックアウトされれば増加、されなければ減少するチェックアウトポイントとが記録されている。
【０１４２】
このようなチェックアウト履歴テーブルＴｂ１００に記録されているチェックアウト元は、チェックアウト時に、対応する番組ジャンルの録画番組をチェックアウトした装置の識別情報（例えば装置名）により更新される。ちなみに、このチェックアウト履歴テーブルＴｂ１００のチェックアウト元の初期設定は、番組録画転送装置２の装置名（例えば「リビング」）であるとする。したがって、まだ１度も録画番組がチェックアウトされていない場合、チェックアウト履歴テーブルＴｂ１００の全ての番組ジャンルのチェックアウト元が、番組録画転送装置２の装置名となる。
【０１４３】
またチェックアウトポイントは、初期値及び最大値が「５」、最小値が「０」と設定され、まだ１度も録画番組がチェックアウトされていない場合、チェックアウト履歴テーブルＴｂ１００に記録されている全ての番組ジャンルのチェックポイントは「５」となる。
【０１４４】
そして番組録画転送装置２のＣＰＵ１０は、このチェックアウト履歴テーブルＴｂ１００のチェックアウトポイントを参照して、その値が「１」以上である番組ジャンルを、よくチェックアウトされる番組ジャンルと判別する一方で、その値が「０」である番組ジャンルを、ほとんどチェックアウトされない番組ジャンルと判別し、さらによくチェックアウトされると判別した番組ジャンルについては、そのチェックアウト元を参照して、チェックアウト元となる装置を判別するようになされている。
【０１４５】
また番組録画転送装置２ｘのハードディスクドライブ２１にも、図１２（Ｂ）に示すように、チェックアウト履歴テーブルＴｂ１００と同構成のチェックアウト履歴テーブルＴｂ１００ｘが記録され、このチェックアウト履歴テーブルＴｂ１００ｘにより番組録画転送装置２ｘのＣＰＵ１０が録画番組のチェックアウト履歴を管理するようになされている。このチェックアウト履歴テーブルＴｂ１００ｘがチェックアウト履歴テーブルＴｂ１００と異なる点は、チェックアウト元の初期設定が、番組録画転送装置２ｘの装置名（例えば「ダイニング」）となる点である。したがって、まだ１度も録画番組がチェックアウトされていない場合、チェックアウト履歴テーブルＴｂ１００ｘの全ての番組ジャンルのチェックアウト元が、番組録画転送装置２ｘの装置名となる。
【０１４６】
ここで、例えば、番組録画転送装置２が携帯端末４に録画番組をチェックアウトするとする。このとき番組録画転送装置２のＣＰＵ１０は、チェックアウトする録画番組が、自分が録画したものである場合（つまり自分が録画した番組の映像音声データを携帯端末４に転送する場合）、自身のチェックアウト履歴テーブルＴｂ１００において、図１２（Ｃ）に示すように、チェックアウトした録画番組の番組ジャンル（例えば「ニュース」）のチェックアウトポイントを以前の値に関係なく最大値の「５」に更新（この場合は「５」のまま）すると共に、そのチェックアウト元を自身の装置名に更新（この場合は「リビング」のまま）し、それ以外の番組ジャンルのチェックアウトポイントを以前の値から−１する（この場合は「４」に更新する）。
【０１４７】
一方、チェックアウトする録画番組が、自分ではなく番組録画転送装置２ｘが録画したものである場合（つまり番組録画転送装置２ｘにより録画された番組の映像音声データを受信して携帯端末４に転送する場合）、番組録画転送装置２のＣＰＵ１０は、番組録画転送装置２ｘに対し、番組録画転送装置２ｘのチェックアウト履歴テーブルＴｂ１００ｘにおいて、チェックアウトした録画番組の番組ジャンル（例えば「ニュース」）のチェックアウトポイントを以前の値に関係なく最大値の「５」に更新（この場合は「５」のまま）すると共に、そのチェックアウト元を番組録画転送装置２の装置名に更新（この場合は「ダイニング」から「リビング」に更新）し、それ以外の番組ジャンルのチェックアウトポイントを以前の値から−１する（この場合は「４」に更新する）ように要求する。
【０１４８】
この要求に応じて、番組録画転送装置２ｘのＣＰＵ１０は、図１２（Ｄ）に示すように、自身のチェックアウト履歴テーブルＴｂ１００ｘにおいて、番組録画転送装置２からチェックアウトされた録画番組の番組ジャンル（例えば「ニュース」）のチェックアウトポイントを以前の値に関係なく最大値の「５」に更新すると共に、そのチェックアウト元を番組録画転送装置２の装置名に更新（つまり「ダイニング」から「リビング」に更新）し、それ以外の番組ジャンルのチェックアウトポイントを以前の値から−１する。
【０１４９】
このようにして、番組録画転送装置２及び２ｘは、自身が持つ録画番組をチェックアウトする場合には、自身のチェックアウト履歴を更新する一方、他の装置で録画された録画番組をチェックアウトする場合には、他の装置にチェックアウト履歴を更新させるようになされている。
【０１５０】
ここで、例えば、番組録画転送装置２ｘが番組を録画するとする。このとき番組録画転送装置２ｘのＣＰＵ１０は、録画する番組の番組ジャンルのチェックアウトポイントが「１」以上であれば、この番組ジャンルがよくチェックアウトされる番組ジャンルであると判別して、この番組の映像音声データをＭＰＥＧ２形式と転送用のＨ．２６４形式とで自身のハードディスクドライブ２１に記録する。またこのとき番組録画転送装置２ｘのＣＰＵ１０は、この番組ジャンルのチェックアウト元が自分ではなく番組録画転送装置２であれば、この番組ジャンルが番組録画転送装置２からチェックアウトされる番組ジャンルであると判別して、録画した番組の転送用のＨ．２６４形式の映像音声データを番組録画転送装置２に送信する。
【０１５１】
このようにして番組録画転送装置２及び２ｘは、チェックアウト履歴に基づき、よくチェックアウトされる番組ジャンルと、ほとんどチェックアウトされない番組ジャンルとを判別すると共に、よくチェックアウトされる番組ジャンルのチェックアウト元がどこなのかを判別して、よくチェックアウトされる番組ジャンルの番組を録画するときには、この番組の映像音声データが将来転送される可能性が高いと判断して、この番組の映像音声データをＭＰＥＧ２形式の映像音声データとチェックアウト用（転送用）のＨ．２６４形式の映像音声データの２つのデータ形式で自身のハードディスクドライブ２１に記録したうえで、この番組ジャンルのチェックアウト元が自分以外の装置であれば、転送用のＨ．２６４形式の映像音声データを、チェックアウト元に送信するようになされている。
【０１５２】
（３−３）第３の実施の形態による履歴学習最適化モードでの番組録画処理手順及びチェックアウト処理手順
ここで、上述した履歴学習最適化モードでの番組録画処理手順と、チェックアウト処理手順とについて詳しく説明する。
【０１５３】
まず、番組録画処理手順について、図１３に示すフローチャートを用いて詳しく説明する。ちなみに、ここでは、番組録画転送装置２が番組を録画する場合を例に説明する。この場合の番組録画処理手順は、番組録画転送装置２のＣＰＵ１０が、フラッシュＲＯＭ１２に記録されているプログラムにしたがって実行する処理である。
【０１５４】
番組録画転送装置２のＣＰＵ１０は、例えばユーザによりリモコンＲＭを介して所望の番組を録画するよう指示されると、番組録画処理手順ＲＴ１００を開始して、ステップＳＰ１００に移る。ステップＳＰ１００においてＣＰＵ１０は、録画する番組の番組ジャンルをＥＰＧデータより取得し、この番組ジャンルのチェックアウトポイントをチェックアウト履歴テーブルＴｂ１００から参照して、次のステップＳＰ１０１に移る。
【０１５５】
ステップＳＰ１０１においてＣＰＵ１０は、録画する番組の番組ジャンルのチェックアウトポイントが「１」以上であるかどうかを判定する。このステップＳＰ１０１で肯定結果を得ると、このことは、録画する番組の番組ジャンルのチェックアウトポイントが「１」以上であること、つまりこの番組の映像音声データが将来転送される可能性が高い番組であることを意味し、このときＣＰＵ１０は、ステップＳＰ１０２に移る。
【０１５６】
ステップＳＰ１０２においてＣＰＵ１０は、番組の映像音声データを番組録画転送装置２用のＭＰＥＧ２形式と、チェックアウト用（転送用）のＨ．２６４形式との２つのデータ形式でハードディスクドライブ２１に記録することにより番組を録画して、次のステップＳＰ１０３に移る。
【０１５７】
ステップＳＰ１０３においてＣＰＵ１０は、録画した番組の番組ジャンルのチェックアウト元をチェックアウト履歴テーブルＴｂ１００から参照して、次のステップＳＰ１０４に移る。ステップＳＰ１０４においてＣＰＵ１０は、録画した番組の番組ジャンルのチェックアウト元が自分（つまり番組録画転送装置２）であるかどうかを判定する。このステップＳＰ１０４で肯定結果を得ると、録画した番組の番組ジャンルのチェックアウト元が自分（番組録画転送装置２）であることから、ＣＰＵ１０は、録画した番組のチェックアウト用（転送用）のＨ．２６４形式の映像音声データを他の装置（つまり番組録画転送装置２ｘ）に送信する必要はないと判断して、この番組録画処理手順ＲＴ１００を終了する。
【０１５８】
これに対して、上述のステップＳＰ１０４で否定結果を得ると、録画した番組の番組ジャンルのチェックアウト元が自分以外（つまり番組録画転送装置２ｘ）であることから、ＣＰＵ１０は、録画した番組のチェックアウト用（転送用）のＨ．２６４形式の映像音声データをチェックアウト元（つまり番組録画転送装置２ｘ）に送信する必要があると判断して、ステップＳＰ１０５に移り、録画した番組のチェックアウト用（転送用）のＨ．２６４形式の映像音声データをチェックアウト元（つまり番組録画転送装置２ｘ）に送信した後、この番組録画処理手順ＲＴ１００を終了する。
【０１５９】
また上述のステップＳＰ１０１で否定結果を得た場合、このことは、録画する番組の番組ジャンルのチェックアウトポイントが「０」であること、つまりこの番組の映像音声データが将来転送される可能性が低い番組であることを意味し、このときＣＰＵ１０は、ステップＳＰ１０６に移り、番組の映像音声データを番組録画転送装置２用のＭＰＥＧ２形式のみでハードディスクドライブ２１に記録して、この番組録画処理手順ＲＴ１００を終了する。
【０１６０】
このような番組録画処理手順ＲＴ１００にしたがって、番組録画転送装置２のＣＰＵ１０は、番組を録画するようになされている。番組録画転送装置２ｘについても同様の手順で番組を録画するようになされている。
【０１６１】
つづけて、チェックアウト処理手順について、図１４に示すシーケンスチャートを用いて詳しく説明する。ここでは、番組録画転送装置２が携帯端末４に録画番組をチェックアウトする場合を例に説明する。ちなみに、このチェックアウト処理手順は、番組録画転送装置２のＣＰＵ１０と、番組録画転送装置２ｘのＣＰＵ１０とが、それぞれのフラッシュＲＯＭ１２に記録されているプログラムにしたがって実行する処理である。
【０１６２】
番組録画転送装置２のＣＰＵ１０は、例えばユーザによりリモコンＲＭを介して録画番組のチェックアウトを行う旨が指示されると、このチェックアウト処理手順のステップＳＰ１１０において、ネットワークＮＴ上の他の番組録画転送装置に対して装置名を送信するよう要求することで他の番組録画転送装置を検索する。
【０１６３】
番組録画転送装置２ｘのＣＰＵ１０は、番組録画転送装置２から装置名を送信するよう要求されると、ステップＳＰ１２０において、自身に登録されている装置名（例えば「ダイニング」）を番組録画転送装置２に対して返信する。
【０１６４】
番組録画転送装置２のＣＰＵ１０は、他の番組録画転送装置の検索結果として、番組録画転送装置２ｘの装置名を受信すると、ステップＳＰ１１１において、この番組録画転送装置２ｘに対して、録画番組のリストを送信するよう要求する。
【０１６５】
番組録画転送装置２ｘのＣＰＵ１０は、番組録画転送装置２から録画番組のリストを送信するよう要求されると、ステップＳＰ１２１において、自身のハードディスクドライブ２１に録画した録画番組のリストを、番組録画転送装置２に対して送信する。
【０１６６】
番組録画転送装置２のＣＰＵ１０は、番組録画転送装置２ｘから録画番組のリストを受信すると、ステップＳＤＰ１１２において、このリストと、自身のハードディスクドライブ２１に録画した録画番組のリストとを統合することにより統合リストを生成して、これをテレビモニタ３に表示させて、次のステップＳＰ１１３に移る。
【０１６７】
ステップＳＰ１１３において番組録画転送装置２のＣＰＵ１０は、例えばユーザによりリモコンＲＭを介して、統合リストのなかから、チェックアウトする録画番組が指定されるまで待ち受け、チェックアウトする録画番組が指定されると、ステップＳＰ１１４に移る。
【０１６８】
ステップＳＰ１１４において番組録画転送装置２のＣＰＵ１０は、チェックアウトするよう指定された録画番組が、自身のハードディスクドライブ２１に録画されたものであるかどうかを判定する。このステップＳＰ１１４で肯定結果を得ると、このことはチェックアウトするよう指定された録画番組が自身のハードディスクドライブ２１に録画されたものであることを意味し、このとき番組録画転送装置２のＣＰＵ１０は、ステップＳＰ１１５に移る。ちなみに、ここでは、チェックアウトするよう指定された録画番組の映像音声データとして、チェックアウト用のＨ．２６４形式の映像音声データが番組録画時に番組録画転送装置２のハードディスクドライブ２１に記録されているとする。
【０１６９】
ステップＳＰ１１５に移った番組録画転送装置２のＣＰＵ１０は、自身のチェックアウト履歴テーブルＴｂ１００において、チェックアウトするよう指定された録画番組の番組ジャンルのチェックアウトポイントを以前の値に関係なく最大値の「５」に更新すると共に、そのチェックアウト元を自身の装置名に更新し、それ以外の番組ジャンルのチェックアウトポイントを以前の値から−１して、次のステップＳＰ１１６に移る。
【０１７０】
ステップＳＰ１１６において番組録画転送装置２のＣＰＵ１０は、チェックアウトするよう指定された録画番組の映像音声データとして、チェックアウト用のＨ．２６４形式の映像音声データを携帯端末４に転送して、このチェックアウト処理手順を終了する。
【０１７１】
これに対して、上述のステップＳＰ１１４で否定結果を得ると、このことはチェックアウトするよう指定された録画番組が他の装置（つまり番組録画転送装置２ｘ）のハードディスクドライブ２１に録画されたものであることを意味し、このとき番組録画転送装置２のＣＰＵ１０は、ステップＳＰ１１７に移る。ちなみに、ここでは、チェックアウトするよう指定された録画番組の映像音声データとして、チェックアウト用（転送用）のＨ．２６４形式の映像音声データが番組録画時に番組録画転送装置２ｘのハードディスクドライブ２１に記録されているとする。
【０１７２】
ステップＳＰ１１７において番組録画転送装置２のＣＰＵ１０は、番組録画転送装置２ｘに対して、チェックアウトするよう指定された録画番組の映像音声データとして、チェックアウト用のＨ．２６４形式の映像音声データを送信するよう要求する。
【０１７３】
番組録画転送装置２ｘのＣＰＵ１０は、番組録画転送装置２から、チェックアウトするよう指定された録画番組のＨ．２６４形式の映像音声データを送信するよう要求されると、ステップＳＰ１２２で、その映像音声データをハードディスクドライブ２１から読み出して、番組録画転送装置２に対して送信する。
【０１７４】
番組録画転送装置２のＣＰＵ１０は、番組録画転送装置２ｘから、チェックアウトするよう指定された録画番組のＨ．２６４形式の映像音声データを受信すると、ステップ１１８で、番組録画転送装置２ｘに対し、番組録画転送装置２ｘのチェックアウト履歴テーブルＴｂ１００ｘにおいて、チェックアウトする録画番組の番組ジャンルのチェックアウトポイントを以前の値に関係なく最大値の「５」に更新すると共に、そのチェックアウト元を番組録画転送装置２の装置名に更新し、それ以外の番組ジャンルのチェックアウトポイントを以前の値から−１するように要求する。
【０１７５】
この要求に応じて、番組録画転送装置２ｘのＣＰＵ１０は、ステップＳＰ１２３において、自身のチェックアウト履歴テーブルＴｂ１００ｘにおいて、番組録画転送装置２からチェックアウトされる録画番組の番組ジャンルのチェックアウトポイントを以前の値に関係なく最大値の「５」に更新すると共に、そのチェックアウト元を番組録画転送装置２の装置名に更新し、それ以外の番組ジャンルのチェックアウトポイントを以前の値から−１する。
【０１７６】
こうすることで、番組録画転送装置２ｘのＣＰＵ１０は、以降、今回番組録画転送装置２からチェックアウトされる録画番組の番組ジャンルと同ジャンルの番組を録画するときに、Ｈ．２６４形式の映像音声データを番組録画転送装置２に対して送信するようになる。この結果、番組録画転送装置２のＣＰＵ１０は、以降、今回チェックアウトする録画番組の番組ジャンルと同ジャンルの録画番組をチェックアウトするときに、その録画番組が番組録画転送装置２ｘに録画されたものであっても、その録画番組のチェックアウト用データ形式の映像音声データについては既に番組録画転送装置２ｘから取得しているので、上述したステップＳＰ１１７及びステップＳＰ１２２の処理を省略することができるようになる。
【０１７７】
ステップＳＰ１１９において番組録画転送装置２のＣＰＵ１０は、チェックアウトするよう指定された録画番組の映像音声データとして、番組録画転送装置２ｘから受信したチェックアウト用（転送用）のＨ．２６４形式の映像音声データを携帯端末４に転送して、このチェックアウト処理手順を終了する。
【０１７８】
このようなチェックアウト処理手順にしたがって、番組録画転送装置２のＣＰＵ１０は、番組録画転送装置２ｘのＣＰＵ１０と協働して録画番組をチェックアウトするようになされている。
【０１７９】
（３−４）第３の実施の形態による動作及び効果
ここまで説明したように、この第３の実施の形態の番組録画転送装置２及び２ｘは、履歴学習最適化モードに移行すると、録画番組のチェックアウト履歴を、チェックアウトした録画番組の番組ジャンル単位で記録管理するだけでなく、番組ジャンルごとにどの装置からチェックアウトされたのかまで記録管理する。
【０１８０】
そして番組録画転送装置２及び２ｘは、番組録画時、このチェックアウト履歴に基づいて、よくチェックアウトされる番組ジャンルとほとんどチェックアウトされない番組ジャンルとを判別すると共に、よくチェックアウトされる番組ジャンルのチェックアウト元がどこなのかを判別して、よくチェックアウトされる番組ジャンルの番組を録画するときには、この番組の映像音声データが将来転送される可能性が高いと判断して、この番組の映像音声データをＭＰＥＧ２形式の映像音声データと転送用のＨ．２６４形式の映像音声データの２つのデータ形式で自身のハードディスクドライブ２１に記録したうえで、この番組ジャンルのチェックアウト元が自分以外の装置であれば、転送用のＨ．２６４形式の映像音声データをその装置に対して送信する。
【０１８１】
こうすることで番組録画転送装置２及び２ｘは、将来転送されると予測される番組の映像音声データについてのみ、あらかじめＭＰＥＧ２形式と転送用のＨ．２６４形式との２つのデータ形式でハードディスクドライブ２１に記録して、さらに転送用のＨ．２６４形式の映像音声データについては、チェックアウト元になる装置にあらかじめ送信しておくことができる。
【０１８２】
かくしてこの第３の実施の形態の番組録画転送システム１００では、複数の番組録画転送装置２のそれぞれに記録されている録画番組の映像音声データを、複数の番組録画転送装置２で共有する場合でも、各番組録画転送装置２において映像音声データの転送を迅速に行うことができ、且つ転送されない番組の映像音声データに対しては無駄に２つのデータ形式でハードディスクドライブ２１に記録することを防止してその記録容量を効率的に使用することができる。
【０１８３】
（４）他の実施の形態
なお、上述した第１乃至第３の実施の形態では、番組録画転送装置２が、将来転送される可能性が低いと判断した番組の映像音声については、ＭＰＥＧ２形式の映像音声データしか記録しないようにした場合について述べたが、実際上、ＭＰＥＧ２形式の映像音声データしか記録していない番組を、ユーザが携帯端末４にチェックアウトするよう指示する状況もあり得る。
【０１８４】
具体的に言うと、今まで１度もチェックアウトしたことのなかった番組ジャンルの番組を、初めてチェックアウトする場合などである。
【０１８５】
この場合、番組録画転送装置２は、チェックアウト時に、ＭＰＥＧ２形式の映像音声データを、携帯端末４で再生可能なＨ．２６４形式の映像音声データに変換することになる。この場合のチェックアウト処理手順について、図１５に示すフローチャートを用いて詳しく説明する。ちなみに、ここでは、番組ジャンル単位のチェックアウト履歴を用いる場合を例に説明する。
【０１８６】
番組録画転送装置２のＣＰＵ１０は、例えばユーザによりリモコンＲＭを介してＭＰＥＧ２形式の映像音声データしか記録していない録画番組を携帯端末４へチェックアウトするよう指示されると、チェックアウト処理手順ＲＴ２００を開始して、ステップＳＰ２００に移る。ステップＳＰ２００においてＣＰＵ１０は、チェックアウト先となる接続機器を認識して、次のステップＳＰ２０１に移る。この場合、ＣＰＵ１０は、チェックアウト先となる接続機器として携帯端末４を認識する。
【０１８７】
ステップＳＰ２０１においてＣＰＵ１０は、携帯端末４で再生可能なデータ形式がＨ．２６４形式であることから、ＭＰＥＧエンコーダ１８に対してＨ．２６４コーデックを設定して、次のステップＳＰ２０２に移る。
【０１８８】
ステップＳＰ２０２においてＣＰＵ１０は、ＭＰＥＧエンコーダ１８に対して携帯端末４が対応しているビットレート（例えば７６８ｋｂｐｓ）を設定して、次のステップＳＰ２０３に移る。ステップＳＰ２０３においてＣＰＵ１０は、チェックアウトする録画番組の映像音声データ（すなわちＭＰＥＧ２形式の映像音声データ）をハードディスクドライブ２１から読み出してＭＰＥＧエンコーダ１８に入力することで、ＭＰＥＧエンコーダ１８によりＭＰＥＧ２形式の映像音声データを携帯端末４で再生可能なＨ．２６４形式（Ｈ．２６４フォーマットで且つ携帯端末４が対応しているビットレートでなるデータ形式）の映像音声データに変換させて、次のステップＳＰ２０４に移る。
【０１８９】
ステップＳＰ２０４においてＣＰＵ１０は、チェックアウトする録画番組の映像音声データに付与された番組情報から、この番組の番組ジャンルを取得し、チェックアウト履歴テーブルＴｂ１に記録されているこの番組ジャンルのチェックアウトポイントを最大値の「５」に設定して、次のステップＳＰ２０５に移る。
【０１９０】
ステップＳＰ２０５においてＣＰＵ１０は、ステップＳＰ２０４でチェックアウトポイントを最大値の「５」に設定した番組ジャンル以外の番組ジャンルのチェックアウトポイントを−１して、次のステップＳＰ２０６に移る。
【０１９１】
ステップＳＰ２０６においてＣＰＵ１０は、ＭＰＥＧエンコーダ１８より出力される、Ｈ．２６４形式の映像音声データを携帯端末４に転送して（つまり指定された録画番組をチェックアウトして）、このチェックアウト処理手順ＲＴ２００を終了する。
【０１９２】
このようなチェックアウト処理手順ＲＴ２００にしたがって、番組録画転送装置２のＣＰＵ１０は、番組録画転送装置２用のデータ形式でなる映像音声データしか記録していない録画番組については、チェックアウト時に映像音声データのデータ形式を携帯端末４用（つまり転送用）のデータ形式に変換するようになされている。
【０１９３】
また、このようにしてチェックアウト時に変換した転送用のデータ形式でなる映像音声データを携帯端末４に転送するだけでなくハードディスクドライブ２１に記録するようにしてもよい。このようにすれば、番組録画転送装置２用のデータ形式でなる映像音声データしか記録していない録画番組については、初回のチェックアウト時にのみ映像音声データのデータ形式を転送用のデータ形式に変換すればよく、それ以降のチェックアウト時にはこの変換を省略して、チェックアウトを迅速に行うことができる。
【０１９４】
また、上述の第１乃至第３の実施の形態では、録画する時点の番組ジャンルのチェックアウトポイントに基づき、録画する番組の映像音声データとして、別途Ｈ．２６４形式の映像音声データを記録、もしくは記録しないようにした場合について述べたが、本発明はこれに限らず、現時点の番組ジャンルのチェックアウトポイントに基づき、録画した番組の映像音声データとして、別途Ｈ．２６４形式の映像音声データを記録、もしくは記録しないようにしてもよい。
【０１９５】
具体的に言うと、番組録画転送装置２のＣＰＵ１０は、例えば、録画時には、番組ジャンルのチェックアウトポイントが「１」以上であったためにＨ．２６４形式の映像音声データを記録したものの、現時点では、その番組ジャンルのチェックアウトポイントが「０」になったためにＨ．２６４形式の映像音声データが必要ではなくなった録画番組については、Ｈ．２６４形式の映像音声データを削除する一方、録画時には、番組ジャンルのチェックアウトポイントが「０」であったためにＨ．２６４形式の映像音声データを記録しなかったものの、現時点では、その番組ジャンルのチェックアウトポイントが「１」以上になったためにＨ．２６４形式の映像音声データが必要になった録画番組については、Ｈ．２６４形式の映像音声データを生成して記録する。
【０１９６】
このようにすれば、録画した番組のそれぞれについて、常に現時点でのチェックアウト履歴に適したデータ形式の映像音声データを記録することができるので、現時点において、将来チェックアウトされると予測される番組の映像音声データについてのみ、あらかじめＭＰＥＧ２形式とチェックアウト先の携帯端末４で再生可能なＨ．２６４形式との２つのデータ形式でハードディスクドライブ２１に記録しておくことができる。
【０１９７】
この処理は、第１及び第３の実施の形態に限らず、第２の実施の形態にも同様の考え方で適用できる。ちなみに、この処理は時間がかかるため、ユーザに実行するよう指示された場合にのみ、あるいはユーザが番組録画転送装置２を利用していない時間帯にのみ実行するとよい。
【０１９８】
また、上述の第１乃至第３の実施の形態では、ＭＰＥＧ２形式の映像音声データにくわえてＨ．２６４形式の映像音声データを記録するかどうかの判別にチェックアウト履歴を利用するようにした場合について述べたが、本発明はこれに限らず、例えば、チェックアウト履歴を、チェックアウト候補となる録画番組のリスト（これをチェックアウト候補リストとも呼ぶ）の生成に利用するようにしてもよい。
【０１９９】
具体的に言うと、番組録画転送装置２のＣＰＵ１０は、例えば、チェックアウト候補リストを表示するよう指示されると、ハードディスクドライブ２１に記録している全録画番組のなかから、チェックアウトポイントが「１」以上の番組ジャンルの録画番組、つまりチェックアウトする可能性が高い番組ジャンルの録画番組を選択し、この選択した録画番組のリストをチェックアウト候補リストとして生成して、これをテレビモニタ３に出力する。この結果、テレビモニタ３のディスプレイ３Ａには、チェックアウト候補リストが表示される。
【０２００】
そして番組録画転送装置２のＣＰＵ１０は、例えばユーザによりリモコンＲＭを介して、チェックアウト候補リストのなかから、携帯端末４へチェックアウトする録画番組が指定されると、指定された録画番組のＨ．２６４形式の映像音声データがハードディスクドライブ２１に記録されていれば、ハードディスクドライブ２１から読み出して、記録されていなければＭＰＥＧ２形式の映像音声データを基に生成して、携帯端末４にチェックアウトする。
【０２０１】
このようにすれば、番組録画転送装置２は、ユーザに対して、よくチェックアウトする番組ジャンルの録画番組のみをチェックアウト候補として提示することができるので、全録画番組のなかからチェックアウトする録画番組を指定させる場合と比して、一段と容易にチェックアウトする録画番組を指定させることができる。
【０２０２】
また、このようなチェックアウト候補リスト以外にも、チェックアウトポイントが「０」の番組ジャンルの録画番組、つまりチェックアウトする可能性が低い番組ジャンルの録画番組のリストを表示させるようにしてもよい。
【０２０３】
さらに、上述の第１及び第３の実施の形態では、チェックアウト時に、チェックアウトした録画番組の番組ジャンルのチェックアウトポイントをその時点の値（つまり「０」〜「５」）に関係なく最大値の「５」に更新するようにした場合について述べたが、本発明はこれに限らず、例えば、番組録画転送装置２のＣＰＵ１０が、チェックアウトポイントの値が「０」である番組ジャンルの録画番組をチェックアウトする場合には、この番組ジャンルが最近全くチェックアウトされなかった番組ジャンルであることから、チェックアウトする番組ジャンルの傾向が変わったと判断して、この番組ジャンルについては特別に「５」より大きな最大値（例えば「１０」）に更新するようにしてもよい。
【０２０４】
またこれに限らず、例えば、チェックアウトポイントの値が最大値の「５」である番組ジャンルの録画番組をチェックアウトする場合には、この番組ジャンルが連続してチェックアウトされた番組ジャンルであることから、チェックアウトする頻度が特に高い番組ジャンルであると判断して、この番組ジャンルについては特別に「５」より大きな最大値（例えば「１０」）に更新するようにしてもよい。
【０２０５】
このように、番組録画転送装置２は、最近全くチェックアウトされなかった番組ジャンルの録画番組や、連続してチェックアウトされることになる番組ジャンルの録画番組をチェックアウトする場合などには、その番組ジャンルのチェックアウトポイントを、通常の最大値「５」より大きな最大値に更新することで、その番組ジャンルについては、他の番組ジャンルと比して、チェックアウトされる可能性が高い番組ジャンルであると判別し続ける期間を長くするようにしてもよい。
【０２０６】
この処理は、第１及び第３の実施の形態に限らず、第２の実施の形態にも同様の考え方で適用できる。
【０２０７】
さらに上述の第２の実施の形態では、番組録画転送装置２が、チェックアウト履歴テーブルＴｂ１に記録されている番組ジャンルごとのチェックアウトポイントと、チェックアウト履歴テーブルＴｂ２に記録されている放送時間帯ごとのチェックポイントとを参照して、よくチェックアウトされる番組ジャンルと放送時間帯との組み合わせと、ほとんどチェックアウトされない番組ジャンルと放送時間帯との組み合わせとを判別するようにした場合について述べたが、本発明はこれに限らず、チェックアウト履歴テーブルＴｂ１及びＴｂ２の代わりに、例えば、図１６（Ａ）に示すような、番組ジャンルと放送時間帯との組み合わせ単位のチェックアウト履歴テーブルＴｂ２００をハードディスクドライブ２１に記録し、このチェックアウト履歴テーブルＴｂ２００に記録されている番組ジャンルと放送時間帯との組み合わせごとのチェックアウトポイントを参照して、よくチェックアウトされる番組ジャンルと放送時間帯との組み合わせと、ほとんどチェックアウトされない番組ジャンルと放送時間帯との組み合わせとを判別するようにしてもよい。
【０２０８】
すなわち、番組録画転送装置２のＣＰＵ１０は、チェックアウト処理を実行する度に、チェックアウトした録画番組の番組ジャンルと放送時間帯との組み合わせのチェックアウトポイントを最大値の「５」に更新する一方で、それ以外の番組ジャンルと放送時間帯との組み合わせのチェックアウトポイントを−１し、チェックアウトポイントの値が「１」以上である番組ジャンルと放送時間帯との組み合わせを、よくチェックアウトされる番組ジャンルと放送時間帯との組み合わせと判別する一方で、その値が「０」である番組ジャンルと放送時間帯との組み合わせを、ほとんどチェックアウトされない番組ジャンルと放送時間帯との組み合わせと判別する。
【０２０９】
さらに上述の第１及び第３の実施の形態では、番組録画転送装置２に対して、Ｈ．２６４形式の映像音声データを再生可能な携帯端末４のみがチェックアウト先の機器として接続される場合について述べたが、本発明はこれに限らず、例えば、複数の機器がチェックアウト先の機器として接続されるにようになされていてもよい。
【０２１０】
ここで、例えば、Ｈ．２６４形式の映像音声データを再生可能な携帯端末４にくわえて、Ｈ．２６４形式とは異なるＭＰＥＧ４形式の映像音声データを再生可能な機器（これをＭＰＥＧ４機器とも呼ぶ）が接続される場合について説明する。
【０２１１】
この場合、番組録画転送装置２は、携帯端末４には録画番組の映像音声データとしてＨ．２６４形式の映像音声データをチェックアウトする一方、ＭＰＥＧ４機器にはＭＰＥＧ４形式の映像音声データをチェックアウトすることになる。ゆえに、この場合の番組録画転送装置２のＭＰＥＧエンコーダ１８には、ＭＰＥＧ４コーデック機能が追加されているとする。
【０２１２】
そして番組録画転送装置２のＣＰＵ１０は、図１６（Ｂ）に示すような、番組ジャンルとデータ形式（この場合、Ｈ．２６４形式またはＭＰＥＧ４形式）との組み合わせ単位のチェックアウト履歴テーブルＴｂ２０１をハードディスクドライブ２１に記録し、このチェックアウト履歴テーブルＴｂ２０１に記録されている番組ジャンルとデータ形式との組み合わせごとのチェックアウトポイントを参照して、よくチェックアウトされる番組ジャンルとデータ形式との組み合わせと、ほとんどチェックアウトされない番組ジャンルとデータ形式との組み合わせとを判別する。
【０２１３】
すなわち、番組録画転送装置２のＣＰＵ１０は、録画番組のチェックアウトを行う度に、チェックアウトした録画番組の番組ジャンルとデータ形式との組み合わせのチェックアウトポイントを最大値の「５」に更新する一方で、それ以外の番組ジャンルとデータ形式との組み合わせのチェックアウトポイントを−１し、チェックアウトポイントの値が「１」以上である番組ジャンルとデータ形式との組み合わせを、よくチェックアウトされる番組ジャンルとデータ形式との組み合わせと判別する一方で、その値が「０」である番組ジャンルとデータ形式との組み合わせを、ほとんどチェックアウトされない番組ジャンルとデータ形式との組み合わせと判別する。
【０２１４】
そして番組録画転送装置２のＣＰＵ１０は、番組を録画するとき、その番組の番組ジャンルが例えばＨ．２６４形式でよくチェックアウトされている（つまり携帯端末４によくチェックアウトされている）のであれば、その番組の映像音声データをＭＰＥＧ２形式とＨ．２６４形式とで記録し、またその番組の番組ジャンルがＨ．２６４形式とＭＰＥＧ４形式との両方でよくチェックアウトされている（つまり携帯端末４とＭＰＥＧ４機器とによくチェックアウトされている）のであれば、その番組の映像音声データをＭＰＥＧ２形式とＨ．２６４形式とＭＰＥＧ４形式とで記録し、その番組のジャンルがＨ．２６４形式とＭＰＥＧ４形式とのどちらでもほとんどチェックアウトされていないのであれば、その番組の映像音声データをＭＰＥＧ２形式のみで記録する。
【０２１５】
このようにすれば、再生可能なデータ形式が異なる複数の機器がチェックアウト先の機器として接続される場合でも、将来転送すると予測されるデータ形式のみで番組の映像音声データを記録しておくことができるので、映像音声データの転送を迅速に行うことができ、且つハードディスクドライブ２１の記録容量を効率的に使用することができる。
【０２１６】
また、この場合、データ形式を、図１６（Ｃ）に示すチェックアウト履歴テーブルＴｂ２０２のように、フォーマットとビットレートとに分けて登録するようにしてもよい。このようにすれば、例えば、Ｈ．２６４フォーマットの高ビットレート（例えば７６８ｋｂｐｓ）でなるデータ形式と、Ｈ．２６４フォーマットの低ビットレート（例えば３８４ｋｂｐｓ）でなるデータ形式とを区別して登録することができるので、より細かくよくチェックアウトされるデータ形式を判別することができる。また、データ形式を、フォーマットとビットレートとに限らず、画像サイズ、フレーム数、アナログ／ステレオ音声などに分けて登録するようにしてもよい。
【０２１７】
さらに、上述した番組ジャンル、放送時間帯、データ形式以外に、番組の出演者、データサイズ、再生時間などを、チェックアウトした番組の属性（つまり転送した映像音声データの属性）としてチェックアウト履歴に記すようにして、このチェックアウト履歴に記した属性と、録画する番組の属性（つまり番組の映像音声データの属性）とに基づいて、録画する番組がよくチェックアウトされる番組ジャンルの番組であるかどうか（つまり番組の映像音声データが将来転送される可能性が高い映像音声データであるかどうか）を判別するようにしてもよい。
【０２１８】
さらに上述した第１及び第３の実施の形態では、チェックアウトポイントの最大値を「５」、最小値を「０」として、チェックアウトポイントが「１」以上であるかどうかで、よくチェックアウトされる番組ジャンルであるかどうかを判別するようにした（つまり基準値を「１」にした）場合について述べたが、本発明はこれに限らず、チェックアウトポイントの最大値、最小値、及び基準値のそれぞれを、「５」、「０」、「１」とは異なる値に設定してもよい。
【０２１９】
さらに上述した第２の実施の形態では、番組ジャンルごとのチェックアウトポイントと放送時間帯ごとのチェックアウトポイントとの乗算値が「１０」より大きいかどうかで、よくチェックアウトされる番組ジャンルと放送時間帯との組み合わせであるかどうかを判別するようにした場合について述べたが、本発明はこれに限らず、例えば、番組ジャンルごとのチェックアウトポイントと放送時間帯ごとのチェックアウトポイントとの加算値が所定値（例えば「７」）より大きいかどうかで判別するようにしてもよい。
【０２２０】
さらに上述の第１乃至第３の実施の形態では、チェックアウト履歴に基づいて、ＭＰＥＧ２形式の映像音声データにくわえてＨ．２６４形式の映像音声データを記録するかどうかを判別するようにした場合について述べたが、本発明はこれに限らず、他の利用履歴（例えば、録画番組の再生履歴や、録画履歴など）に基づき、ＭＰＥＧ２形式の映像音声データにくわえてＨ．２６４形式の映像音声データを記録するかどうかを判別するようにしてもよい。
【０２２１】
ここで、再生履歴を用いる場合も録画履歴を用いる場合も、基本的な考え方はチェックアウト履歴を用いる場合と同様であり、例えば、再生履歴を用いる場合、番組ジャンル単位の再生履歴テーブルに、チェックアウトポイントと同様の考え方で増減する再生ポイントを記録するようにして、この再生ポイントの値に応じて、ＭＰＥＧ２形式の映像音声データにくわえてＨ．２６４形式の映像音声データを記録するかどうかを判別するようにすればよい。このようにすれば、よりユーザの嗜好に適したチェックアウトを行うことができる。
【０２２２】
また、１つ１つの利用履歴に基づいてだけでなく、例えば、チェックアウトポイントの値と再生ポイントの値との乗算値に基づいてなど、複数の利用履歴に基づいて、ＭＰＥＧ２形式の映像音声データにくわえてＨ．２６４形式の映像音声データを記録するかどうかを判別するようにしてもよい。さらに、チェックアウトポイントの代わりに、例えば番組ジャンルごとの再生回数、録画回数、チェックアウト回数などを記録するようにして、これらの回数が多い番組ジャンルほど、よく利用される番組ジャンルであるから、よくチェックアウトされる番組ジャンルであると判別するようにしてもよい。
【０２２３】
さらに上述した第１乃至第３の実施の形態では、番組録画転送装置２が、履歴学習最適化モードのときだけ、録画番組のチェックアウト履歴を記録するようにした場合について述べたが、本発明はこれに限らず、他のモードのときにも録画番組のチェックアウト履歴を記録するようにして、そのチェックアウト履歴を履歴学習最適化モードのときに利用するようにしてもよい。
【０２２４】
さらに上述した第３の実施の形態では、番組録画転送装置２が、番組録画転送装置２ｘに録画された録画番組をチェックアウトする場合には、番組録画転送装置２ｘに対してチェックアウト履歴を更新するよう要求するようにした場合について述べたが、本発明はこれに限らず、このとき番組録画転送装置２自身もチェックアウトする録画番組に応じて自分のチェックアウト履歴を更新するようにしてもよい。つまり、番組録画転送装置２と２ｘとが、同じ更新内容のチェックアウト履歴を持つようにしてもよい。
【０２２５】
さらに上述した第１乃至第３の実施の形態では、ＭＰＥＧ２コーデック機能と、Ｈ．２６４コーデック機能を有するＭＰＥＧエンコーダ１８を番組録画転送装置２に設けるようにした場合について述べたが、本発明はこれに限らず、例えば、ＭＰＥＧエンコーダ１８の代わりに、ＭＰＥＧ２コーデック機能を有するＭＰＥＧ２エンコーダと、Ｈ．２６４コーデック機能を有するＨ．２６４エンコーダとを設けるようにしてもよい。また、ＭＰＥＧエンコーダ１８によるエンコード処理をＣＰＵ１０にソフトウェア的に実行させるようにして、ＭＰＥＧエンコーダ１８を省略する構成にしてもよい。
【０２２６】
さらに上述した第１乃至第３の実施の形態では、番組録画転送装置２が、番組の映像音声データを、番組録画転送装置２用のＭＰＥＧ２形式と携帯端末４用のＨ．２６４形式とでハードディスクドライブ２１に記録するようにした場合について述べたが、本発明はこれに限らず、番組録画転送装置２と携帯端末４とが上述したデータ形式以外のデータ形式の再生機能を有しているのであれば、その再生機能に合わせて、上述したデータ形式以外以外の種々のデータ形式で番組の映像音声データを記録するようにしてもよい。
【０２２７】
さらに上述した第１乃至第３の実施の形態では、チェックアウト処理時に、チェックアウト履歴を更新してから、番組をチェックアウト（つまり映像音声データを転送）するようにした場合について述べたが、本発明はこれに限らず、番組のチェックアウトが完了してからチェックアウト履歴を更新するようにしてもよい。
【０２２８】
さらに上述した第１乃至第３の実施の形態では、番組録画転送装置２と携帯端末４とがＵＳＢにより通信する場合について述べたが、本発明はこれに限らず、例えば、番組録画転送装置２と携帯端末４とに無線ＬＡＮモジュールを設け、番組録画転送装置２と携帯端末４とが無線ＬＡＮで通信するようにしてもよく、この他種々の通信方式により番組録画転送装置２と携帯端末４とが通信されるようにしてもよい。
【０２２９】
さらに上述した第３の実施の形態では、番組録画転送装置２が、通信部としてのネットワークインタフェース２９及びネットワーク端子３０によりネットワークＮＴを介して番組録画転送装置２ｘと通信するようにした場合について述べたが、本発明はこれに限らず、例えば、番組録画転送装置２と２ｘとに無線ＬＡＮモジュールを設け、番組録画転送装置２と２ｘとが無線ＬＡＮで通信するようにしてもよく、この他種々の通信方式により番組録画転送装置２と２ｘとが通信するようにしてもよい。
【０２３０】
さらに上述した第１乃至第３の実施の形態では、コンテンツデータとして、番組の映像音声データを記録及び転送する番組録画転送装置２に本発明を適用するようにした場合について述べたが、本発明はこれに限らず、例えば、外部機器（例えばネットワークＮＴ上のサーバなど）から取得した音声データや、静止画像データ、プログラムデータ、またはラジオ番組の音声データなどを記録及び転送するデータ記録転送装置に本発明を適用するようにしてもよく、本発明は、このようなデータ記録転送装置として、例えばパーソナルコンピュータやオーディオコンポ、ＤＶＤ（Digital Versatile Disc）レコーダ、ハードディスクレコーダ、テレビジョン受像機などに適用することができる。
【０２３１】
さらに、本発明は、上述した第１乃至第３の実施の形態及びここまで説明した他の実施の形態に限定されるものではなく、これら第１乃至第３の実施の形態及びここまで説明した他の実施の形態の一部または全部を任意に組み合わせた形態、もしくは一部を抽出した形態にもその適用範囲が及ぶものである。例えば、第３の実施の形態での番組ジャンル単位のチェックアウト履歴を、第２の実施の形態での番組ジャンル単位及び放送時間単位のチェックアウト履歴に置き換えるなどしてもよい。
【０２３２】
さらに上述した第１及び第３の実施の形態では、番組録画処理及びチェックアウト処理を実行するためのプログラムを、番組録画転送装置２のフラッシュＲＯＭ１２にあらかじめ記録しておくようにした場合について述べたが、本発明はこれに限らず、このプログラムを例えば光ディスクや磁気ディスク、メモリカードなどの記録媒体に記録しておき、このプログラムを番組録画転送装置２のＣＰＵ１０が外部接続した図示しないドライブなどを介して記録媒体から読み出して実行してもよいし、フラッシュＲＯＭ１２にインストールするようにしてもよい。
【産業上の利用可能性】
【０２３３】
本発明は、例えば、パーソナルコンピュータ、ＤＶＤレコーダ、ハードディスクレコーダなどで広く有効利用することができる。
【図面の簡単な説明】
【０２３４】
【図１】第１の実施の形態による番組録画転送システムの構成を示す略線図である。
【図２】番組録画転送装置のハードウェア構成を示すブロック図である。
【図３】設定メニュー画面の構成を示す略線図である。
【図４】第１の実施の形態によるチェックアウト履歴テーブルの更新の説明に供する略線図である。
【図５】第１の実施の形態による番組録画処理手順を示すフローチャートである。
【図６】第１の実施の形態によるチェックアウト処理手順を示すフローチャートである。
【図７】番組録画転送装置の機能構成を示すブロック図である。
【図８】第２の実施の形態によるチェックアウト履歴テーブルの更新の説明に供する略線図である。
【図９】第２の実施の形態による番組録画処理手順を示すフローチャートである。
【図１０】第２の実施の形態によるチェックアウト処理手順を示すフローチャートである。
【図１１】第３の実施の形態による番組録画転送システムの構成を示す略線図である。
【図１２】第３の実施の形態によるチェックアウト履歴テーブルの更新の説明に供する略線図である。
【図１３】第３の実施の形態による番組録画処理手順を示すフローチャートである。
【図１４】第３の実施の形態によるチェックアウト処理手順を示すシーケンスチャートである。
【図１５】他の実施の形態にチェックアウト処理手順を示すフローチャートである。
【図１６】他の実施の形態によるチェックアウト履歴テーブルの例を示す略線図である。
【符号の説明】
【０２３５】
１、１００……番組録画転送システム、２、２ｘ……番組録画転送装置、３……テレビモニタ、４……携帯端末、１０……ＣＰＵ、１８……ＭＰＥＧエンコーダ、２１……ハードディスクドライブ、２９……ネットワークインタフェース、３０……ネットワーク端子、３１……ＵＳＢコントローラ、３２……ＵＳＢ端子、ＲＭ……リモコン、Ｔｂ１、Ｔｂ２、Ｔｂ１００、Ｔｂ１００ｘ、Ｔｂ２００、Ｔｂ２０１、Ｔｂ２０２……チェックアウト履歴テーブル。
【図１】
2008271393.tif 000003
【図２】
2008271393.tif 000004
【図３】
2008271393.tif 000005
【図４】
2008271393.tif 000006
【図５】
2008271393.tif 000007
【図６】
2008271393.tif 000008
【図７】
2008271393.tif 000009
【図８】
2008271393.tif 000010
【図９】
2008271393.tif 000011
【図１０】
2008271393.tif 000012
【図１１】
2008271393.tif 000013
【図１２】
2008271393.tif 000014
【図１３】
2008271393.tif 000015
【図１４】
2008271393.tif 000016
【図１５】
2008271393.tif 000017
【図１６】
2008271393.tif 000018